(57)【要約】【課題】ユーザの位置に関連する情報を、ユーザに負担を強いることなく簡易な操作で取得できるように支援する。【解決手段】本発明の情報取得支援装置は、ユーザが持つ通信端末装置の位置を表す位置情報を取得する位置情報取得部４０、６０、８６と、上記位置情報に関連付けられた材料を抽出する材料抽出手段４８、６１、８７と、抽出された材料が上記ユーザが閲覧権限を持つコンテンツに含まれている場合に当該材料を、編纂データを構成する編纂対象材料として選定する材料選定手段４３、６３、８１とを備えている。【選択図】図１
2013178680.tif 000002
【特許請求の範囲】
【請求項１】
通信端末装置のユーザの情報取得を支援する情報取得支援システムに含まれる、上記通信端末装置、および、情報管理サーバのうち、上記通信端末装置によって実現される情報取得支援装置であって、
上記通信端末装置の位置を検出する位置検出部から、該通信端末装置の位置を表す位置情報を取得する位置情報取得手段と、
上記位置情報取得手段によって取得された位置情報を上記情報管理サーバに送信して、複数の情報から成る編纂データの材料を要求する材料要求手段と、
上記材料要求手段からの要求に対する応答として、上記位置情報に関連付けられた材料を特定する材料識別情報を、上記情報管理サーバから取得する材料取得手段と、
上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定手段とを備えていることを特徴とする情報取得支援装置。
【請求項２】
通信端末装置のユーザの情報取得を支援する情報取得支援システムに含まれる、上記通信端末装置、および、情報管理サーバのうち、上記情報管理サーバによって実現される情報取得支援装置であって、
複数の情報から成る編纂データの材料を要求する上記通信端末装置から、該通信端末装置の位置を表す位置情報を取得する位置情報取得手段と、
位置情報と材料との対応関係を記憶する登録情報記憶部を参照して、上記位置情報取得手段によって取得された位置情報に関連付けられた材料を抽出する材料抽出手段と、
上記材料抽出手段によって抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知手段とを備えていることを特徴とする情報取得支援装置。
【請求項３】
通信端末装置のユーザの情報取得を支援する情報取得支援システムに含まれる、上記通信端末装置、情報管理サーバ、および、情報供給サーバのうち、上記情報管理サーバによって実現される情報取得支援装置であって、
複数の情報から成る編纂データの材料を要求する上記通信端末装置から、該通信端末装置の位置を表す位置情報を取得する位置情報取得手段と、
位置情報と材料との対応関係を記憶する登録情報記憶部を参照して、上記位置情報取得手段によって取得された位置情報に関連付けられた材料を抽出する材料抽出手段と、
上記材料抽出手段によって抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知手段とを備えていることを特徴とする情報取得支援装置。
【請求項４】
通信端末装置のユーザの情報取得を支援する情報取得支援システムに含まれる、上記通信端末装置、情報管理サーバ、および、情報供給サーバのうち、上記情報供給サーバによって実現される情報取得支援装置であって、
請求項３に記載の情報取得支援装置としての情報管理サーバから、上記材料識別情報、および、上記ユーザ識別情報を取得する抽出結果取得手段と、
ユーザが閲覧権限を持つコンテンツのリストを、ユーザごとに記憶するコンテンツリスト記憶部を参照して、取得された上記材料識別情報によって特定された材料が、取得された上記ユーザ識別情報に関連付けられたリストの中のいずれかのコンテンツに含まれる材料である場合に、当該材料を、上記編纂データを構成する編纂対象材料として選定する材料選定手段とを備えていることを特徴とする情報取得支援装置。
【請求項５】
通信端末装置のユーザの情報取得を支援する情報取得支援装置であって、
上記通信端末装置から、該通信端末装置の位置を表す位置情報を取得する位置情報取得手段と、
位置情報と複数の情報から成る編纂データの材料との対応関係を記憶する登録情報記憶部を参照して、上記位置情報取得手段によって取得された位置情報に関連付けられた材料を抽出する材料抽出手段と、
上記ユーザが閲覧権限を持つコンテンツのリストを記憶するコンテンツリスト記憶部を参照して、上記材料抽出手段によって抽出された材料が、上記リストの中のいずれかのコンテンツに含まれる材料である場合に、当該材料を、上記編纂データを構成する編纂対象材料として選定する材料選定手段とを備えていることを特徴とする情報取得支援装置。
【請求項６】
上記情報取得支援装置は、上記通信端末装置によって実現されることを特徴とする請求項５に記載の情報取得支援装置。
【請求項７】
上記情報取得支援装置は、上記位置情報と上記材料との対応関係を管理する情報管理サーバによって実現されることを特徴とする請求項５に記載の情報取得支援装置。
【請求項８】
上記情報取得支援装置は、１以上の材料を含むコンテンツを上記通信端末装置に供給する情報供給サーバによって実現されることを特徴とする請求項５に記載の情報取得支援装置。
【請求項９】
上記情報取得支援装置は、上記通信端末装置、および、上記位置情報と上記材料との対応関係を管理する情報管理サーバによって実現されることを特徴とする請求項５に記載の情報取得支援装置。
【請求項１０】
上記情報取得支援装置は、上記通信端末装置、上記位置情報と上記材料との対応関係を管理する情報管理サーバ、および、１以上の材料を含むコンテンツを上記通信端末装置に供給する情報供給サーバによって実現されることを特徴とする請求項５に記載の情報取得支援装置。
【請求項１１】
上記材料抽出手段によって抽出された材料が、上記材料選定手段によって編纂対象材料として選定されなかった場合に、当該材料が含まれているコンテンツの購入を薦める通知を上記ユーザの通信端末装置に送信する通知送信手段を備えていることを特徴とする請求項４、５、７、８および１０のいずれか１項に記載の情報取得支援装置。
【請求項１２】
上記材料抽出手段によって抽出された材料が、上記材料選定手段によって編纂対象材料として選定されなかった場合であって、当該材料が含まれているコンテンツの料金が所定金額以下の場合に、上記コンテンツリスト記憶部のリストに上記コンテンツを追加する販売処理手段を備え、
上記材料選定手段は、上記販売処理手段によって新規に追加された上記コンテンツの上記材料を、編纂対象材料として選定しなおすことを特徴とする請求項１１に記載の情報取得支援装置。
【請求項１３】
上記材料選定手段によって選定された編纂対象材料を集めて上記編纂データを生成するデータ編纂手段を備えていることを特徴とする請求項１、４、５、６、８、９および１０のいずれか１項に記載の情報取得支援装置。
【請求項１４】
上記編纂データは、索引番号が割り当てられた材料を、複数含むものであり、各材料には、さらに、当該材料に関する属性情報が１以上関連付けられており、
上記データ編纂手段は、各材料の属性情報に基づいて、各材料に索引番号を割り当てることを特徴とする請求項１３に記載の情報取得支援装置。
【請求項１５】
上記属性情報は、位置情報と材料との対応関係を記憶する登録情報記憶部において、各材料に関連付けられている位置情報であり、
上記データ編纂手段は、上記編纂データに含まれる各材料の位置情報に基づいて、各材料に索引番号を割り当てることを特徴とする請求項１４に記載の情報取得支援装置。
【請求項１６】
上記登録情報記憶部には、位置情報と材料との対応関係を上記登録情報記憶部に登録した施設を識別する施設識別情報が関連付けられており、
上記属性情報は、上記登録情報記憶部において、各材料に関連付けられている施設識別情報であり、
上記データ編纂手段は、上記編纂データに含まれる各材料の施設識別情報に基づいて、各材料に索引番号を割り当てることを特徴とする請求項１５に記載の情報取得支援装置。
【請求項１７】
上記通信端末装置によって取得される、該通信端末装置の位置を表す位置情報には、当該位置情報が取得された時間を示す時間情報が対応付けられており、
上記属性情報は、上記登録情報記憶部において各材料に関連付けられている位置情報に対応する時間情報であり、
上記データ編纂手段は、上記編纂データに含まれる各材料の時間情報に基づいて、各材料に索引番号を割り当てることを特徴とする請求項１５に記載の情報取得支援装置。
【請求項１８】
上記編纂データに含まれる各材料を、割り当てられた索引番号にしたがって、上記通信端末装置の表示部に表示する情報提示手段を備えていることを特徴とする請求項１４から１７までのいずれか１項に記載の情報取得支援装置。
【請求項１９】
上記コンテンツは、複数のページで構成される電子書籍であり、
上記材料は、上記電子書籍に含まれる個々のページであり、
上記編纂データは、電子書籍に含まれる特定のページを編纂対象材料として集めて成るスクラップブックであることを特徴とする請求項１から１８までのいずれか１項に記載の情報取得支援装置。
【請求項２０】
上記コンテンツは、複数のページで構成される電子書籍であり、
上記材料は、上記電子書籍に含まれる個々のページであり、
上記編纂データは、電子書籍に含まれる特定のページへのリンク情報を編纂対象材料として集めて成るしおりリストであることを特徴とする請求項１から１８までのいずれか１項に記載の情報取得支援装置。
【請求項２１】
上記位置情報は、上記通信端末装置の位置検出部によって測位された緯度経度情報であることを特徴とする請求項１から２０までのいずれか１項に記載の情報取得支援装置。
【請求項２２】
上記位置情報は、上記通信端末装置の位置検出部によって、施設に設置された近距離無線通信機器から取得された、当該施設を特定する施設識別情報であることを特徴とする請求項１から２０までのいずれか１項に記載の情報取得支援装置。
【請求項２３】
通信端末装置のユーザの情報取得を支援する情報取得支援システムに含まれる、上記通信端末装置、および、情報管理サーバのうち、上記通信端末装置によって実現される情報取得支援方法であって、
上記通信端末装置の位置を検出する位置検出部から、該通信端末装置の位置を表す位置情報を取得する位置情報取得ステップと、
上記位置情報取得ステップにて取得された位置情報を上記情報管理サーバに送信して、複数の情報から成る編纂データの材料を要求する材料要求ステップと、
上記材料要求ステップでの要求に対する応答として、上記位置情報に関連付けられた材料を特定する材料識別情報を、上記情報管理サーバから取得する材料取得ステップと、
上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定ステップとを含むことを特徴とする情報取得支援方法。
【請求項２４】
通信端末装置のユーザの情報取得を支援する情報取得支援システムに含まれる、上記通信端末装置、および、情報管理サーバのうち、上記情報管理サーバによって実現される情報取得支援方法であって、
複数の情報から成る編纂データの材料を要求する上記通信端末装置から、該通信端末装置の位置を表す位置情報を取得する位置情報取得ステップと、
位置情報と材料との対応関係を記憶する登録情報記憶部を参照して、上記位置情報取得ステップにて取得された位置情報に関連付けられた材料を抽出する材料抽出ステップと、
上記材料抽出ステップにて抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知ステップとを含むことを特徴とする情報取得支援方法。
【請求項２５】
通信端末装置のユーザの情報取得を支援する情報取得支援システムに含まれる、上記通信端末装置、情報管理サーバ、および、情報供給サーバのうち、上記情報管理サーバによって実現される情報取得支援方法であって、
複数の情報から成る編纂データの材料を要求する上記通信端末装置から、該通信端末装置の位置を表す位置情報を取得する位置情報取得ステップと、
位置情報と材料との対応関係を記憶する登録情報記憶部を参照して、上記位置情報取得ステップにて取得された位置情報に関連付けられた材料を抽出する材料抽出ステップと、
上記材料抽出ステップにて抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知ステップとを含むことを特徴とする情報取得支援方法。
【請求項２６】
通信端末装置のユーザの情報取得を支援する情報取得支援システムに含まれる、上記通信端末装置、情報管理サーバ、および、情報供給サーバのうち、上記情報供給サーバによって実現される情報取得支援方法であって、
請求項３に記載の情報取得支援装置としての情報管理サーバから、上記材料識別情報、および、上記ユーザ識別情報を取得する抽出結果取得ステップと、
ユーザが閲覧権限を持つコンテンツのリストを、ユーザごとに記憶するコンテンツリスト記憶部を参照して、上記抽出結果取得ステップにて取得された上記材料識別情報によって特定された材料が、上記抽出結果取得ステップにて取得された上記ユーザ識別情報に関連付けられたリストの中のいずれかのコンテンツに含まれる材料である場合に、当該材料を、上記編纂データを構成する編纂対象材料として選定する材料選定ステップとを含むことを特徴とする情報取得支援方法。
【請求項２７】
通信端末装置のユーザの情報取得を支援する情報取得支援方法であって、
上記通信端末装置から、該通信端末装置の位置を表す位置情報を取得する位置情報取得ステップと、
位置情報と複数の情報から成る編纂データの材料との対応関係を記憶する登録情報記憶部を参照して、上記位置情報取得ステップにて取得された位置情報に関連付けられた材料を抽出する材料抽出ステップと、
上記ユーザが閲覧権限を持つコンテンツのリストを記憶するコンテンツリスト記憶部を参照して、上記材料抽出ステップにて抽出された材料が、上記リストの中のいずれかのコンテンツに含まれる材料である場合に、当該材料を、上記編纂データを構成する編纂対象材料として選定する材料選定ステップとを含むことを特徴とする情報取得支援方法。
【請求項２８】
コンピュータを、請求項１から２２までのいずれか１項に記載の情報取得支援装置の各手段として機能させるための制御プログラム。
【請求項２９】
請求項２８に記載の制御プログラムを記録したコンピュータ読み取り可能な記録媒体。
【発明の詳細な説明】
【技術分野】
【０００１】
本発明は、情報の収集または取得を支援する、情報取得支援装置、情報取得支援方法、制御プログラム、および、記録媒体に関するものである。
【背景技術】
【０００２】
近年の通信技術の発達により、通信端末装置を用いて、ネットワークを介し、他の装置からあらゆる情報を収集し、取得できる環境が整っている。
【０００３】
一例として、スマートフォンなどの多機能通信端末装置は、携帯性に優れた小型の装置でありながら、大容量の情報を扱うことが可能となり、ユーザに広く一般的に用いられるようになってきた。ユーザは、スマートフォンなどの通信端末装置を用いて、いつでもどこでも必要な情報を収集することができる。また、通信端末装置の他の例として、電子書籍リーダを挙げることができる。電子書籍リーダは、デジタルコンテンツ（電子書籍など）を表示して、ユーザが読書を楽しむための装置である。ユーザは、電子書籍リーダを用いて、電子書籍を提供する装置から、所望の電子書籍をダウンロードし、いつでもどこでも所望の電子書籍から必要な情報を収集することができる。
【０００４】
例えば、特許文献１には、携帯用通信装置のユーザに対し、商業サービスデータを、位置に基づいて配信するための装置および方法が開示されている。より詳細には、ユーザが携帯するトリガ装置がユーザの位置の識別子をサービスプロバイダのシステムに報告する。システムは、ユーザの位置と保存された関心のプロファイルデータとに依存して、ユーザの携帯用通信装置にサービスデータを選択的に配信する。
【０００５】
特許文献２には、ユーザの状況や嗜好にあったサービスを推薦するサービス推薦方法が開示されている。ユーザの通信端末は、ユーザの状況（例えば、現在位置）や嗜好の情報をサーバ装置に送信する。サーバ装置は、ユーザの状況や嗜好が類似するサービス、過去に利用されたサービスの評価を高めて、評価が高いサービスをユーザに推薦する。
【０００６】
特許文献３には、ユーザが指定した条件にしたがって、情報を通知するための情報通知システムが開示されている。より詳細には、ユーザが通知を希望する通知情報をユーザの通信端末が取得する。通信端末は、ユーザから、通知の条件（位置または時刻）の指定を受け付けて、上記通知情報と上記条件とを合わせてブックマーク情報を生成する。このブックマーク情報は、情報配信サーバに送信される。情報配信サーバは、通信端末の現在の位置または時刻と、ブックマーク情報の条件とが一致した場合に、この通信端末に対して上記通知情報を送信する。
【先行技術文献】
【特許文献】
【０００７】
【特許文献１】特表２００５−５１０８２１号公報（２００５年４月２１日公表）
【特許文献２】特開２００５−１７４０９４号公報（２００５年６月３０日公開）
【特許文献３】特開２００７−１１０６４０号公報（２００７年４月２６日公開）
【発明の概要】
【発明が解決しようとする課題】
【０００８】
しかしながら、従来の技術では、以下のような問題がある。
【０００９】
特許文献１の装置および方法は、ユーザに配信されるサービスデータは、ユーザの位置やユーザの関心に基づいているとは言え、サービスプロバイダ側がユーザに対して配信したいものを事前に準備して一方的に提供するものである。よって、ユーザにとって不要な情報が提供されることも多く、ユーザに対し情報の取捨選択を強いることになり、ユーザの操作の負担が大きくなるという問題がある。また、ユーザの関心のプロファイルデータをユーザがあらかじめ作成しておく必要があり、ユーザにとって面倒な作業が増え、操作の負担が大きくなるという問題がある。
【００１０】
特許文献２のサービス推薦方法は、ユーザが通信端末を操作して要求を起こさなければサービス推薦が行われない。つまり、ユーザは、場所にちなんだ情報を得るために行く先々で通信端末を操作して要求を起こさなければならない。都度要求を起こさなければならないという構成は、ユーザに操作の負担を強いることになるという問題を生じる。また、サービス推薦方法では、ユーザの過去の行動範囲に関連してサービス推薦を行うことはできない。さらに、嗜好情報の事前登録も面倒である。
【００１１】
特許文献３のシステムは、一度閲覧した情報を、条件（場所）に応じて再び閲覧するためのシステムである。このようなシステムでは、ユーザが既に知っている情報であって、意識的にまた見たいと所望する情報しか扱えない。つまり、ユーザの現在位置または過去の行動範囲に関連して、ユーザにとって必要な情報があったとしても、その情報の存在をユーザが知って事前に登録しておかなければ、ユーザに供給することはできない。また、ユーザは、再び所望の情報を閲覧するために、自身で通信端末を操作して条件などの登録を行わなければならず、ユーザにとって面倒な作業が増え、操作の負担が大きくなるという問題がある。
【００１２】
本発明は、上記の問題点に鑑みてなされたものであり、その目的は、ユーザの居場所（過去に居た場所も含む）に関連する情報を、ユーザに負担を強いることなく簡易な操作で取得できるように支援する、情報取得支援装置、情報取得支援方法、制御プログラム、および、記録媒体を実現することにある。
【課題を解決するための手段】
【００１３】
本発明の情報取得支援装置は、上記課題を解決するために、通信端末装置のユーザの情報取得を支援する情報取得支援システムに含まれる、上記通信端末装置、および、情報管理サーバのうち、上記通信端末装置によって実現される情報取得支援装置であって、上記通信端末装置の位置を検出する位置検出部から、該通信端末装置の位置を表す位置情報を取得する位置情報取得手段と、上記位置情報取得手段によって取得された位置情報を上記情報管理サーバに送信して、複数の情報から成る編纂データの材料を要求する材料要求手段と、上記材料要求手段からの要求に対する応答として、上記位置情報に関連付けられた材料を特定する材料識別情報を、上記情報管理サーバから取得する材料取得手段と、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定手段とを備えていることを特徴としている。
【００１４】
上記構成によれば、ユーザが持っている通信端末装置の位置検出部は通信端末装置の位置を検出する。位置情報取得手段は、位置検出部の検出によって、通信端末装置の位置を表す位置情報を取得することができる。通信端末装置の位置を表す位置情報は、通信端末装置のユーザの位置を表す位置情報として扱うことができる。
【００１５】
続いて、位置情報取得手段によって位置情報が取得されると、材料要求手段は、その位置情報を上記情報管理サーバに送信する。これにより、材料要求手段は、情報管理サーバに対して、編纂データの材料を要求することができる。材料とは、複数の情報から成る編纂データを構成するための材料となる情報のことを指す。
【００１６】
このように、通信端末装置による情報取得の要求を、ユーザがどこにいても、特別なユーザ操作を必要とせずに、自動で発生させることができる。しかも、上記要求の内容は、そのユーザの位置に応じて生成されるものである。したがって、通信端末装置は、上記要求に対する応答を、ユーザの位置情報に関連して自動で取得することができる。
【００１７】
自動で取得される応答の内容、すなわち、材料（情報）は、以下のようにして通信端末装置が取得する。
【００１８】
材料要求手段が上記要求を起こすと、この要求に応答して情報管理サーバは、材料を特定する材料識別情報を通信端末装置に対して返信する。材料取得手段は、この材料識別情報を情報管理サーバから取得する。
【００１９】
このようにして取得された材料識別情報は、通信端末装置の位置を表す位置情報に関連付けられた材料の識別情報である。つまり、材料取得手段は、ユーザの位置に関連する材料（情報）を特定するための材料識別情報を取得できたことになる。
【００２０】
このようにして情報管理サーバから通知されたユーザの位置に関連する材料に対して、さらに、材料選定手段は、当該材料を上記編纂データを構成する編纂対象材料とするか否かを判断する。材料選定手段は、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する。
【００２１】
つまり、ユーザが閲覧権限を持つコンテンツから入手できる材料が、編纂対象材料として選定される。
【００２２】
最終的に選定された編纂データの編纂対象材料は、ユーザの位置に関連する情報であって、かつ、ユーザが閲覧権限を持つコンテンツから入手できる材料である。
【００２３】
ユーザは、編纂データにアクセスすることにより、自分が訪問した位置に関連する情報を、まとめて閲覧するということが可能になる。また、編纂データに収集される情報は、ユーザが訪問した位置に関連したものであって、かつ、すでにユーザが閲覧権限を持っているコンテンツの中から得られるものである。つまり、ユーザにとって関心の高い情報である可能性が高い。
【００２４】
以上のことから、ユーザは、特別な操作をすることもなく、また、あらかじめ嗜好情報などを登録する必要もなく、容易に、自分にとって有益な情報を得ることが可能となる。結果として、ユーザが居るまたは居た位置に関連する情報を、ユーザに負担を強いることなく簡易な操作で取得できるという効果を奏する。
【００２５】
あるいは、本発明の情報取得支援装置は、上記課題を解決するために、通信端末装置のユーザの情報取得を支援する情報取得支援システムに含まれる、上記通信端末装置、および、情報管理サーバのうち、上記情報管理サーバによって実現される情報取得支援装置であって、複数の情報から成る編纂データの材料を要求する上記通信端末装置から、該通信端末装置の位置を表す位置情報を取得する位置情報取得手段と、位置情報と材料との対応関係を記憶する登録情報記憶部を参照して、上記位置情報取得手段によって取得された位置情報に関連付けられた材料を抽出する材料抽出手段と、上記材料抽出手段によって抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知手段とを備えていることを特徴としている。
【００２６】
上記構成によれば、位置情報取得手段は、通信端末装置の位置を表す位置情報を、通信端末装置から取得する。これにより、情報管理サーバは、複数の情報から成る編纂データの材料を要求する上記通信端末装置からの当該要求を受け付けることができる。通信端末装置の位置を表す位置情報は、通信端末装置のユーザの位置を表す位置情報として扱うことができる。材料とは、複数の情報から成る編纂データを構成するための材料となる情報のことを指す。
【００２７】
続いて、位置情報取得手段によって位置情報が取得されると、材料抽出手段は、位置情報と材料との対応関係を記憶する登録情報記憶部を参照して、取得された位置情報に関連付けられた材料を抽出する。
【００２８】
抽出結果通知手段は、抽出した材料を特定するための材料識別情報を上記通信端末装置に送信する。
【００２９】
このように、情報管理サーバは、ユーザの位置に応じて生成された要求に応じて、位置情報に対応する材料（情報）を特定し、通信端末装置に対して応答することができる。
【００３０】
上述のようにして抽出された材料識別情報は、通信端末装置の位置を表す位置情報に関連付けられた材料の識別情報である。つまり、通信端末装置に対して、ユーザの位置に関連する材料（情報）を特定するための材料識別情報を供給できたことになる。
【００３１】
これにより、最終的に、上記通信端末装置に、当該材料が、上記ユーザが閲覧権限を持つコンテンツに含まれる材料であるか否かを判断させることができる。つまり、ユーザの位置に関連する材料であって、なおかつ、ユーザが閲覧権限を持つコンテンツから入手できる材料が、編纂対象材料として選定される。
【００３２】
ユーザは、編纂データにアクセスすることにより、自分が訪問した位置に関連する情報を、まとめて閲覧するということが可能になる。また、編纂データに収集される情報は、ユーザが訪問した位置に関連したものであって、かつ、すでにユーザが閲覧権限を持っているコンテンツの中から得られるものである。つまり、ユーザにとって関心の高い情報である可能性が高い。
【００３３】
以上のことから、ユーザは、特別な操作をすることもなく、また、あらかじめ嗜好情報などを登録する必要もなく、容易に、自分にとって有益な情報を得ることが可能となる。結果として、ユーザが居るまたは居た位置に関連する情報を、ユーザに負担を強いることなく簡易な操作で取得できるという効果を奏する。
【００３４】
あるいは、本発明の情報取得支援装置は、上記課題を解決するために、通信端末装置のユーザの情報取得を支援する情報取得支援システムに含まれる、上記通信端末装置、情報管理サーバ、および、情報供給サーバのうち、上記情報管理サーバによって実現される情報取得支援装置であって、複数の情報から成る編纂データの材料を要求する上記通信端末装置から、該通信端末装置の位置を表す位置情報を取得する位置情報取得手段と、位置情報と材料との対応関係を記憶する登録情報記憶部を参照して、上記位置情報取得手段によって取得された位置情報に関連付けられた材料を抽出する材料抽出手段と、上記材料抽出手段によって抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知手段とを備えていることを特徴としている。
【００３５】
上記構成によれば、位置情報取得手段は、通信端末装置の位置を表す位置情報を、通信端末装置から取得する。これにより、情報管理サーバは、複数の情報から成る編纂データの材料を要求する上記通信端末装置からの当該要求を受け付けることができる。通信端末装置の位置を表す位置情報は、通信端末装置のユーザの位置を表す位置情報として扱うことができる。材料とは、複数の情報から成る編纂データを構成するための材料となる情報のことを指す。
【００３６】
続いて、位置情報取得手段によって位置情報が取得されると、材料抽出手段は、位置情報と材料との対応関係を記憶する登録情報記憶部を参照して、取得された位置情報に関連付けられた材料を抽出する。
【００３７】
ここで、抽出結果通知手段は、抽出した材料を特定するための材料識別情報を情報供給サーバに送信する。
【００３８】
これにより、情報管理サーバは、情報供給サーバに対して、当該材料が、上記ユーザが閲覧権限を持つコンテンツに含まれる材料であるか否かを判断させることができる。
【００３９】
このように、情報管理サーバは、ユーザの位置に応じて生成された要求に応じて、位置情報に対応する材料（情報）を抽出し、この抽出結果を情報供給サーバに対して送信することができる。抽出結果を情報供給サーバに送信することにより、抽出された材料の中で、上記ユーザが閲覧権限を持つコンテンツから入手できる材料はどれかを問い合わせることができる。
【００４０】
上述のようにして抽出された材料識別情報は、通信端末装置の位置を表す位置情報に関連付けられた材料の識別情報である。つまり、情報供給サーバに対して、ユーザの位置に関連する材料（情報）を特定するための材料識別情報を供給できたことになる。
【００４１】
これにより、最終的に、上記情報供給サーバに、当該材料が、上記ユーザが閲覧権限を持つコンテンツに含まれる材料であるか否かを判断させることができる。つまり、ユーザの位置に関連する材料であって、なおかつ、ユーザが閲覧権限を持つコンテンツから入手できる材料が、編纂対象材料として選定される。
【００４２】
ユーザは、編纂データにアクセスすることにより、自分が訪問した位置に関連する情報を、まとめて閲覧するということが可能になる。また、編纂データに収集される情報は、ユーザが訪問した位置に関連したものであって、かつ、すでにユーザが閲覧権限を持っているコンテンツの中から得られるものである。つまり、ユーザにとって関心の高い情報である可能性が高い。
【００４３】
以上のことから、ユーザは、特別な操作をすることもなく、また、あらかじめ嗜好情報などを登録する必要もなく、容易に、自分にとって有益な情報を得ることが可能となる。結果として、ユーザが居るまたは居た位置に関連する情報を、ユーザに負担を強いることなく簡易な操作で取得できるという効果を奏する。
【００４４】
あるいは、本発明の情報取得支援装置は、上記課題を解決するために、通信端末装置のユーザの情報取得を支援する情報取得支援システムに含まれる、上記通信端末装置、情報管理サーバ、および、情報供給サーバのうち、上記情報供給サーバによって実現される情報取得支援装置であって、上段に記載の情報取得支援装置としての情報管理サーバから、上記材料識別情報、および、上記ユーザ識別情報を取得する抽出結果取得手段と、ユーザが閲覧権限を持つコンテンツのリストを、ユーザごとに記憶するコンテンツリスト記憶部を参照して、取得された上記材料識別情報によって特定された材料が、取得された上記ユーザ識別情報に関連付けられたリストの中のいずれかのコンテンツに含まれる材料である場合に、当該材料を、上記編纂データを構成する編纂対象材料として選定する材料選定手段とを備えていることを特徴としている。
【００４５】
上記構成によれば、上述の情報管理サーバから、ユーザを特定するためのユーザ識別情報と、ユーザの位置に関連する材料（情報）を特定するための材料識別情報とを受け付けた情報供給サーバは、ユーザの位置に関連する材料であって、なおかつ、ユーザが閲覧権限を持つコンテンツから入手できる材料を編纂対象材料として選定することができる。
【００４６】
ユーザは、編纂データにアクセスすることにより、自分が訪問した位置に関連する情報を、まとめて閲覧するということが可能になる。また、編纂データに収集される情報は、ユーザが訪問した位置に関連したものであって、かつ、すでにユーザが閲覧権限を持っているコンテンツの中から得られるものである。つまり、ユーザにとって関心の高い情報である可能性が高い。
【００４７】
以上のことから、ユーザは、特別な操作をすることもなく、また、あらかじめ嗜好情報などを登録する必要もなく、容易に、自分にとって有益な情報を得ることが可能となる。結果として、ユーザが居るまたは居た位置に関連する情報を、ユーザに負担を強いることなく簡易な操作で取得できるという効果を奏する。
【００４８】
あるいは、本発明の情報取得支援装置は、上記課題を解決するために、通信端末装置のユーザの情報取得を支援する情報取得支援装置であって、上記通信端末装置から、該通信端末装置の位置を表す位置情報を取得する位置情報取得手段と、位置情報と複数の情報から成る編纂データの材料との対応関係を記憶する登録情報記憶部を参照して、上記位置情報取得手段によって取得された位置情報に関連付けられた材料を抽出する材料抽出手段と、上記ユーザが閲覧権限を持つコンテンツのリストを記憶するコンテンツリスト記憶部を参照して、上記材料抽出手段によって抽出された材料が、上記リストの中のいずれかのコンテンツに含まれる材料である場合に、当該材料を、上記編纂データを構成する編纂対象材料として選定する材料選定手段とを備えていることを特徴としている。
【００４９】
上記構成によれば、位置情報取得手段は、通信端末装置の位置を表す位置情報を、通信端末装置から取得する。通信端末装置の位置を表す位置情報は、通信端末装置のユーザの位置を表す位置情報として扱うことができる。材料とは、複数の情報から成る編纂データを構成するための材料となる情報のことを指す。
【００５０】
続いて、位置情報取得手段によって位置情報が取得されると、材料抽出手段は、位置情報と材料との対応関係を記憶する登録情報記憶部を参照して、取得された位置情報に関連付けられた材料を抽出する。
【００５１】
上述のようにして抽出された材料識別情報は、通信端末装置の位置を表す位置情報に関連付けられた材料の識別情報である。つまり、ユーザの位置に関連する材料（情報）を特定できたことになる。
【００５２】
このようにして抽出された材料に対して、さらに、材料選定手段は、当該材料を上記編纂データを構成する編纂対象材料とするか否かを判断する。材料選定手段は、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する。つまり、ユーザが閲覧権限を持つコンテンツから入手できる材料が、編纂対象材料として選定される。
【００５３】
結果として、最終的には、ユーザの位置に関連する材料であって、なおかつ、ユーザが閲覧権限を持つコンテンツから入手できる材料が、編纂対象材料として選定される。
【００５４】
ユーザは、編纂データにアクセスすることにより、自分が訪問した位置に関連する情報を、まとめて閲覧するということが可能になる。また、編纂データに収集される情報は、ユーザが訪問した位置に関連したものであって、かつ、すでにユーザが閲覧権限を持っているコンテンツの中から得られるものである。つまり、ユーザにとって関心の高い情報である可能性が高い。
【００５５】
以上のことから、ユーザは、特別な操作をすることもなく、また、あらかじめ嗜好情報などを登録する必要もなく、容易に、自分にとって有益な情報を得ることが可能となる。結果として、ユーザが居るまたは居た位置に関連する情報を、ユーザに負担を強いることなく簡易な操作で取得できるという効果を奏する。
【００５６】
上記情報取得支援装置は、上記通信端末装置によって実現されてもよい。
【００５７】
上記情報取得支援装置は、上記位置情報と上記材料との対応関係を管理する情報管理サーバによって実現されてもよい。
【００５８】
上記情報取得支援装置は、１以上の材料を含むコンテンツを上記通信端末装置に供給する情報供給サーバによって実現されてもよい。
【００５９】
上記情報取得支援装置は、上記通信端末装置、および、上記位置情報と上記材料との対応関係を管理する情報管理サーバによって実現されてもよい。
【００６０】
上記情報取得支援装置は、上記通信端末装置、上記位置情報と上記材料との対応関係を管理する情報管理サーバ、および、１以上の材料を含むコンテンツを上記通信端末装置に供給する情報供給サーバによって実現されてもよい。
【００６１】
上述の情報取得支援装置において、上記材料抽出手段によって抽出された材料が、上記材料選定手段によって編纂対象材料として選定されなかった場合に、当該材料が含まれているコンテンツの購入を薦める通知を上記ユーザの通信端末装置に送信する通知送信手段を備えていてもよい。
【００６２】
上記構成によれば、ユーザがコンテンツを購入しておらず、当該コンテンツの閲覧権限がないために、ユーザの位置と関連があるのに編纂データに含められなかった材料がある場合に、当該コンテンツの購入をユーザに薦めることができる。もし、ユーザがコンテンツを購入すれば、先の事情で編纂データに含めることができなかった材料について、ユーザが閲覧権限を持ったことにより、編纂データに含めることができるようになる。
【００６３】
さらに、上記材料抽出手段によって抽出された材料が、上記材料選定手段によって編纂対象材料として選定されなかった場合であって、当該材料が含まれているコンテンツの料金が所定金額以下の場合に、上記コンテンツリスト記憶部のリストに上記コンテンツを追加する販売処理手段を備え、上記材料選定手段は、上記販売処理手段によって新規に追加された上記コンテンツの上記材料を、編纂対象材料として選定しなおしてもよい。
【００６４】
上記構成によれば、ユーザがコンテンツを購入しておらず、当該コンテンツの閲覧権限がないために、ユーザの位置と関連があるのに編纂データに含められなかった材料がある場合に、当該コンテンツの購入処理を自動で行うことができる。これにより、先の事情で編纂データに含めることができなかった材料について、ユーザに閲覧権限を持たせたことにより、編纂データに含めることができるようになる。ここで、自動で購入されるコンテンツの料金は、所定金額以下となっており、その金額をユーザが了承していれば、ユーザに高額なコンテンツを強制的に購入させるという不都合は発生しない。
【００６５】
さらに、上述の情報取得支援装置は、上記材料選定手段によって選定された編纂対象材料を集めて上記編纂データを生成するデータ編纂手段を備えていてもよい。
【００６６】
さらに、上記編纂データは、索引番号が割り当てられた材料を、複数含むものであり、各材料には、さらに、当該材料に関する属性情報が１以上関連付けられており、上記データ編纂手段は、各材料の属性情報に基づいて、各材料に索引番号を割り当ててもよい。
【００６７】
上記構成によれば、属性情報に基づいて体系的に並べられた複数の材料を編纂データとしてユーザに提示できる。ユーザは、より分かりやすい状態の整理された編纂データから、各情報（材料）を得ることが可能になる。
【００６８】
さらに、上記属性情報は、位置情報と材料との対応関係を記憶する登録情報記憶部において、各材料に関連付けられている位置情報であり、上記データ編纂手段は、上記編纂データに含まれる各材料の位置情報に基づいて、各材料に索引番号を割り当ててもよい。
【００６９】
さらに、上記登録情報記憶部には、位置情報と材料との対応関係を上記登録情報記憶部に登録した施設を識別する施設識別情報が関連付けられており、上記属性情報は、上記登録情報記憶部において、各材料に関連付けられている施設識別情報であり、上記データ編纂手段は、上記編纂データに含まれる各材料の施設識別情報に基づいて、各材料に索引番号を割り当ててもよい。
【００７０】
あるいは、上記通信端末装置によって取得される、該通信端末装置の位置を表す位置情報には、当該位置情報が取得された時間を示す時間情報が対応付けられており、上記属性情報は、上記登録情報記憶部において各材料に関連付けられている位置情報に対応する時間情報であり、上記データ編纂手段は、上記編纂データに含まれる各材料の時間情報に基づいて、各材料に索引番号を割り当ててもよい。
【００７１】
さらに、上記編纂データに含まれる各材料を、割り当てられた索引番号にしたがって、上記通信端末装置の表示部に表示する情報提示手段を備えていてもよい。
【００７２】
なお、上記コンテンツは、複数のページで構成される電子書籍であり、上記材料は、上記電子書籍に含まれる個々のページであり、上記編纂データは、電子書籍に含まれる特定のページを編纂対象材料として集めて成るスクラップブックであってもよい。
【００７３】
あるいは、上記コンテンツは、複数のページで構成される電子書籍であり、
上記材料は、上記電子書籍に含まれる個々のページであり、上記編纂データは、電子書籍に含まれる特定のページへのリンク情報を編纂対象材料として集めて成るしおりリストであることを特徴とする請求項１から１８までのいずれか１項に記載の情報取得支援装置。
【００７４】
なお、上記位置情報は、上記通信端末装置の位置検出部によって測位された緯度経度情報であってもよい。
【００７５】
あるいは、上記位置情報は、上記通信端末装置の位置検出部によって、施設に設置された近距離無線通信機器から取得された、当該施設を特定する施設識別情報であってもよい。
【００７６】
本発明の情報取得支援方法は、上記課題を解決するために、通信端末装置のユーザの情報取得を支援する情報取得支援システムに含まれる、上記通信端末装置、および、情報管理サーバのうち、上記通信端末装置によって実現される情報取得支援方法であって、上記通信端末装置の位置を検出する位置検出部から、該通信端末装置の位置を表す位置情報を取得する位置情報取得ステップと、上記位置情報取得ステップにて取得された位置情報を上記情報管理サーバに送信して、複数の情報から成る編纂データの材料を要求する材料要求ステップと、上記材料要求ステップでの要求に対する応答として、上記位置情報に関連付けられた材料を特定する材料識別情報を、上記情報管理サーバから取得する材料取得ステップと、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定ステップとを含むことを特徴としている。
【００７７】
あるいは、本発明の情報取得支援方法は、上記課題を解決するために、通信端末装置のユーザの情報取得を支援する情報取得支援システムに含まれる、上記通信端末装置、および、情報管理サーバのうち、上記情報管理サーバによって実現される情報取得支援方法であって、複数の情報から成る編纂データの材料を要求する上記通信端末装置から、該通信端末装置の位置を表す位置情報を取得する位置情報取得ステップと、位置情報と材料との対応関係を記憶する登録情報記憶部を参照して、上記位置情報取得ステップにて取得された位置情報に関連付けられた材料を抽出する材料抽出ステップと、上記材料抽出ステップにて抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知ステップとを含むことを特徴としている。
【００７８】
あるいは、本発明の情報取得支援方法は、上記課題を解決するために、通信端末装置のユーザの情報取得を支援する情報取得支援システムに含まれる、上記通信端末装置、情報管理サーバ、および、情報供給サーバのうち、上記情報管理サーバによって実現される情報取得支援方法であって、複数の情報から成る編纂データの材料を要求する上記通信端末装置から、該通信端末装置の位置を表す位置情報を取得する位置情報取得ステップと、位置情報と材料との対応関係を記憶する登録情報記憶部を参照して、上記位置情報取得ステップにて取得された位置情報に関連付けられた材料を抽出する材料抽出ステップと、上記材料抽出ステップにて抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知ステップとを含むことを特徴としている。
【００７９】
あるいは、本発明の情報取得支援方法は、上記課題を解決するために、通信端末装置のユーザの情報取得を支援する情報取得支援システムに含まれる、上記通信端末装置、情報管理サーバ、および、情報供給サーバのうち、上記情報供給サーバによって実現される情報取得支援方法であって、上述の情報取得支援装置としての情報管理サーバから、上記材料識別情報、および、上記ユーザ識別情報を取得する抽出結果取得ステップと、ユーザが閲覧権限を持つコンテンツのリストを、ユーザごとに記憶するコンテンツリスト記憶部を参照して、上記抽出結果取得ステップにて取得された上記材料識別情報によって特定された材料が、上記抽出結果取得ステップにて取得された上記ユーザ識別情報に関連付けられたリストの中のいずれかのコンテンツに含まれる材料である場合に、当該材料を、上記編纂データを構成する編纂対象材料として選定する材料選定ステップとを含むことを特徴としている。
【００８０】
あるいは、本発明の情報取得支援方法は、上記課題を解決するために、通信端末装置のユーザの情報取得を支援する情報取得支援方法であって、上記通信端末装置から、該通信端末装置の位置を表す位置情報を取得する位置情報取得ステップと、位置情報と複数の情報から成る編纂データの材料との対応関係を記憶する登録情報記憶部を参照して、上記位置情報取得ステップにて取得された位置情報に関連付けられた材料を抽出する材料抽出ステップと、上記ユーザが閲覧権限を持つコンテンツのリストを記憶するコンテンツリスト記憶部を参照して、上記材料抽出ステップにて抽出された材料が、上記リストの中のいずれかのコンテンツに含まれる材料である場合に、当該材料を、上記編纂データを構成する編纂対象材料として選定する材料選定ステップとを含むことを特徴としている。
【００８１】
なお、上記情報取得支援装置は、コンピュータによって実現してもよく、この場合には、コンピュータを上記各手段として動作させることにより上記情報取得支援装置をコンピュータにて実現させる情報取得支援装置の制御プログラム、およびそれを記録したコンピュータ読み取り可能な記録媒体も、本発明の範疇に入る。
【発明の効果】
【００８２】
本発明の情報取得支援装置は、上記課題を解決するために、通信端末装置のユーザの情報取得を支援する情報取得支援システムに含まれる、上記通信端末装置、および、情報管理サーバのうち、上記通信端末装置によって実現される情報取得支援装置であって、上記通信端末装置の位置を検出する位置検出部から、該通信端末装置の位置を表す位置情報を取得する位置情報取得手段と、上記位置情報取得手段によって取得された位置情報を上記情報管理サーバに送信して、複数の情報から成る編纂データの材料を要求する材料要求手段と、上記材料要求手段からの要求に対する応答として、上記位置情報に関連付けられた材料を特定する材料識別情報を、上記情報管理サーバから取得する材料取得手段と、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定手段とを備えていることを特徴としている。
【００８３】
あるいは、本発明の情報取得支援装置は、上記課題を解決するために、通信端末装置のユーザの情報取得を支援する情報取得支援システムに含まれる、上記通信端末装置、および、情報管理サーバのうち、上記情報管理サーバによって実現される情報取得支援装置であって、複数の情報から成る編纂データの材料を要求する上記通信端末装置から、該通信端末装置の位置を表す位置情報を取得する位置情報取得手段と、位置情報と材料との対応関係を記憶する登録情報記憶部を参照して、上記位置情報取得手段によって取得された位置情報に関連付けられた材料を抽出する材料抽出手段と、上記材料抽出手段によって抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知手段とを備えていることを特徴としている。
【００８４】
あるいは、本発明の情報取得支援装置は、上記課題を解決するために、通信端末装置のユーザの情報取得を支援する情報取得支援システムに含まれる、上記通信端末装置、情報管理サーバ、および、情報供給サーバのうち、上記情報管理サーバによって実現される情報取得支援装置であって、複数の情報から成る編纂データの材料を要求する上記通信端末装置から、該通信端末装置の位置を表す位置情報を取得する位置情報取得手段と、位置情報と材料との対応関係を記憶する登録情報記憶部を参照して、上記位置情報取得手段によって取得された位置情報に関連付けられた材料を抽出する材料抽出手段と、上記材料抽出手段によって抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知手段とを備えていることを特徴としている。
【００８５】
あるいは、本発明の情報取得支援装置は、上記課題を解決するために、通信端末装置のユーザの情報取得を支援する情報取得支援システムに含まれる、上記通信端末装置、情報管理サーバ、および、情報供給サーバのうち、上記情報供給サーバによって実現される情報取得支援装置であって、上段に記載の情報取得支援装置としての情報管理サーバから、上記材料識別情報、および、上記ユーザ識別情報を取得する抽出結果取得手段と、ユーザが閲覧権限を持つコンテンツのリストを、ユーザごとに記憶するコンテンツリスト記憶部を参照して、取得された上記材料識別情報によって特定された材料が、取得された上記ユーザ識別情報に関連付けられたリストの中のいずれかのコンテンツに含まれる材料である場合に、当該材料を、上記編纂データを構成する編纂対象材料として選定する材料選定手段とを備えていることを特徴としている。
【００８６】
あるいは、本発明の情報取得支援装置は、上記課題を解決するために、通信端末装置のユーザの情報取得を支援する情報取得支援装置であって、上記通信端末装置から、該通信端末装置の位置を表す位置情報を取得する位置情報取得手段と、位置情報と複数の情報から成る編纂データの材料との対応関係を記憶する登録情報記憶部を参照して、上記位置情報取得手段によって取得された位置情報に関連付けられた材料を抽出する材料抽出手段と、上記ユーザが閲覧権限を持つコンテンツのリストを記憶するコンテンツリスト記憶部を参照して、上記材料抽出手段によって抽出された材料が、上記リストの中のいずれかのコンテンツに含まれる材料である場合に、当該材料を、上記編纂データを構成する編纂対象材料として選定する材料選定手段とを備えていることを特徴としている。
【００８７】
本発明の情報取得支援方法は、上記課題を解決するために、通信端末装置のユーザの情報取得を支援する情報取得支援システムに含まれる、上記通信端末装置、および、情報管理サーバのうち、上記通信端末装置によって実現される情報取得支援方法であって、上記通信端末装置の位置を検出する位置検出部から、該通信端末装置の位置を表す位置情報を取得する位置情報取得ステップと、上記位置情報取得ステップにて取得された位置情報を上記情報管理サーバに送信して、複数の情報から成る編纂データの材料を要求する材料要求ステップと、上記材料要求ステップでの要求に対する応答として、上記位置情報に関連付けられた材料を特定する材料識別情報を、上記情報管理サーバから取得する材料取得ステップと、上記ユーザが閲覧権限を持つコンテンツのリストを記憶するコンテンツリスト記憶部を参照して、取得された上記材料識別情報によって特定された材料が、上記リストの中のいずれかのコンテンツに含まれる材料である場合に、当該材料を、上記編纂データを構成する編纂対象材料として選定する材料選定ステップとを含むことを特徴としている。
【００８８】
あるいは、本発明の情報取得支援方法は、上記課題を解決するために、通信端末装置のユーザの情報取得を支援する情報取得支援システムに含まれる、上記通信端末装置、および、情報管理サーバのうち、上記情報管理サーバによって実現される情報取得支援方法であって、複数の情報から成る編纂データの材料を要求する上記通信端末装置から、該通信端末装置の位置を表す位置情報を取得する位置情報取得ステップと、位置情報と材料との対応関係を記憶する登録情報記憶部を参照して、上記位置情報取得ステップにて取得された位置情報に関連付けられた材料を抽出する材料抽出ステップと、上記材料抽出ステップにて抽出された材料を特定する材料識別情報を上記通信端末装置に送信して、上記通信端末装置に、当該材料が、上記ユーザが閲覧権限を持つコンテンツに含まれる材料であるか否かを判断させる抽出結果通知ステップとを含むことを特徴としている。
【００８９】
あるいは、本発明の情報取得支援方法は、上記課題を解決するために、通信端末装置のユーザの情報取得を支援する情報取得支援システムに含まれる、上記通信端末装置、情報管理サーバ、および、情報供給サーバのうち、上記情報管理サーバによって実現される情報取得支援方法であって、複数の情報から成る編纂データの材料を要求する上記通信端末装置から、該通信端末装置の位置を表す位置情報を取得する位置情報取得ステップと、位置情報と材料との対応関係を記憶する登録情報記憶部を参照して、上記位置情報取得ステップにて取得された位置情報に関連付けられた材料を抽出する材料抽出ステップと、上記材料抽出ステップにて抽出された材料を特定する材料識別情報、および、上記通信端末装置のユーザを特定するユーザ識別情報を上記情報供給サーバに送信して、上記情報供給サーバに、当該材料が、上記ユーザが閲覧権限を持つコンテンツに含まれる材料であるか否かを判断させる抽出結果通知ステップとを含むことを特徴としている。
【００９０】
あるいは、本発明の情報取得支援方法は、上記課題を解決するために、通信端末装置のユーザの情報取得を支援する情報取得支援システムに含まれる、上記通信端末装置、情報管理サーバ、および、情報供給サーバのうち、上記情報供給サーバによって実現される情報取得支援方法であって、上述の情報取得支援装置としての情報管理サーバから、上記材料識別情報、および、上記ユーザ識別情報を取得する抽出結果取得ステップと、ユーザが閲覧権限を持つコンテンツのリストを、ユーザごとに記憶するコンテンツリスト記憶部を参照して、上記抽出結果取得ステップにて取得された上記材料識別情報によって特定された材料が、上記抽出結果取得ステップにて取得された上記ユーザ識別情報に関連付けられたリストの中のいずれかのコンテンツに含まれる材料である場合に、当該材料を、上記編纂データを構成する編纂対象材料として選定する材料選定ステップとを含むことを特徴としている。
【００９１】
あるいは、本発明の情報取得支援方法は、上記課題を解決するために、通信端末装置のユーザの情報取得を支援する情報取得支援方法であって、上記通信端末装置から、該通信端末装置の位置を表す位置情報を取得する位置情報取得ステップと、位置情報と複数の情報から成る編纂データの材料との対応関係を記憶する登録情報記憶部を参照して、上記位置情報取得ステップにて取得された位置情報に関連付けられた材料を抽出する材料抽出ステップと、上記ユーザが閲覧権限を持つコンテンツのリストを記憶するコンテンツリスト記憶部を参照して、上記材料抽出ステップにて抽出された材料が、上記リストの中のいずれかのコンテンツに含まれる材料である場合に、当該材料を、上記編纂データを構成する編纂対象材料として選定する材料選定ステップとを含むことを特徴としている。
【００９２】
結果として、ユーザの居場所（過去に居た場所も含む）に関連する情報を、ユーザに負担を強いることなく簡易な操作で取得できるように支援することが可能になるという効果を奏する。
【図面の簡単な説明】
【００９３】
【図１】本発明の一実施形態における、情報取得支援装置、すなわち、通信端末装置および情報管理サーバの要部構成を示すブロック図である。
【図２】本発明の一実施形態における、情報取得支援システムの概要を説明する図である。
【図３】電子書籍（コンテンツ）のデータ構造および具体例を示す図である。
【図４】上記情報取得支援システムにおける通信端末装置の書庫ＤＢ（または、情報供給サーバの電子書籍ＤＢ）で管理される、複数の電子書籍のデータ構造および具体例を示す図である。
【図５】行動ログ記憶部に記憶されている行動ログのデータ構造および具体例を示す図である。
【図６】材料要求メッセージのデータ構造および具体例を示す図である。
【図７】登録情報、および、登録情報ＤＢ記憶部に記憶されている登録情報ＤＢの、データ構造および具体例を示す図である。
【図８】抽出結果応答メッセージのデータ構造および具体例を示す図である。
【図９】書庫ＤＢ記憶部に記憶されている書庫ＤＢのデータ構造および具体例を示す図である。
【図１０】スクラップブック記憶部に記憶されているスクラップブックのデータ構造および具体例を示す図である。
【図１１】書籍提示部によって表示部に表示されたスクラップブック表示画面の一具体例を示す図である。
【図１２】本発明の一実施形態における情報取得支援装置（通信端末装置および情報管理サーバ）によって実行される情報取得支援処理の流れを示すフローチャートである。
【図１３】本発明の一実施形態における、情報取得支援装置、すなわち、通信端末装置、情報管理サーバおよび情報供給サーバの要部構成を示すブロック図である。
【図１４】書庫ＤＢ記憶部に記憶されている書庫ＤＢのデータ構造および具体例を示す図である。
【図１５】本発明の一実施形態における情報取得支援装置（通信端末装置、情報管理サーバおよび情報供給サーバ）によって実行される情報取得支援処理の流れを示すフローチャートである。
【図１６】本発明の一実施形態における、情報取得支援装置、すなわち、通信端末装置、情報管理サーバおよび情報供給サーバの要部構成を示すブロック図である。
【図１７】スクラップブック記憶部に記憶されているスクラップブックのデータ構造および具体例を示す図である。
【図１８】本発明の一実施形態における情報取得支援装置（通信端末装置、情報管理サーバおよび情報供給サーバ）によって実行される情報取得支援処理の流れを示すフローチャートである。
【図１９】本発明の一実施形態における、情報取得支援装置、すなわち、通信端末装置の要部構成を示すブロック図である。
【図２０】本発明の一実施形態における、情報取得支援装置、すなわち、情報管理サーバの要部構成を示すブロック図である。
【図２１】本発明の一実施形態における、情報取得支援装置、すなわち、情報供給サーバの要部構成を示すブロック図である。
【図２２】スクラップブック記憶部に記憶されているスクラップブックの他の例についてのデータ構造および具体例を示す図である。
【図２３】書籍提示部によって表示部に表示されたスクラップブック操作画面の一具体例を示す図である。
【図２４】行動ログ記憶部に記憶されている行動ログの他の例についてのデータ構造および具体例を示す図である。
【図２５】スクラップブック記憶部に記憶されているスクラップブックの、他の例についてのデータ構造および具体例を示す図である。
【図２６】スクラップブック記憶部に記憶されているスクラップブックの、さらに他の例についてのデータ構造および具体例を示す図である。
【図２７】情報取得支援装置（通信端末装置、情報管理サーバおよび情報供給サーバ）によって実行される、他の情報取得支援処理の流れを示すフローチャートである。
【図２８】（ａ）は、書籍提示部によって表示部に表示されたスクラップブック表示画面の一具体例を示す図であり、（ｂ）は、スクラップブックのページに付加された付加情報を表示する画面の一具体例を示す図である。
【図２９】スクラップブックにスクラップされる材料としての、電子書籍のページおよび記事のデータ構造および具体例を示す図である。
【図３０】スクラップブック記憶部に記憶されている複数のスクラップブックのデータ構造および具体例を示す図である。
【図３１】スクラップブック記憶部に記憶されているしおりリストのデータ構造および具体例を示す図である。
【図３２】（ａ）は、編纂データがしおりリストである場合に、書籍提示部によって表示部に表示されたしおりリスト表示画面の一具体例を示す図であり、（ｂ）は、しおりによって呼び出された電子書籍のページの表示画面の一具体例を示す図である。
【発明を実施するための形態】
【００９４】
≪発明の概要≫
本発明の情報取得支援装置は、ユーザが閲覧可能な情報の中から、ユーザの居場所（ユーザが現在居る位置、および、ユーザが過去に居た位置を含む。以下、位置と称する）に関連する情報を検索し、編纂データを生成するための情報を材料として収集するものである。本発明の情報取得支援装置は、さらに、収集した材料を使って編纂データを生成する機能を有していることが好ましい。
【００９５】
本発明の情報取得支援装置は、本発明の情報取得支援システムを構築する、ユーザが携帯する通信端末装置にて実現してもよいし、材料となる情報を位置に基づいて管理する情報管理サーバにて実現してもよいし、ユーザの通信端末装置に情報を供給する情報供給サーバにて実現してもよい。また、本発明の情報取得支援装置は、情報取得支援システムを構築する、通信端末装置、情報管理サーバ、および、情報供給サーバのうちの複数の装置によって実現されてもよい。
【００９６】
本発明の情報取得支援装置によって生成される編纂データは、ユーザが閲覧可能なあらゆる情報の中から検索された、ユーザの位置に関連する情報の寄せ集めである。編纂データは、検索され、取得された情報そのものの寄せ集めであってもよいし、検索された情報を容易に取得するための取得支援情報（ＵＲＬ、識別情報、情報名など）の寄せ集めであってもよい。
【００９７】
ユーザが閲覧可能な情報とは、これには限定されないが、例えば、ユーザが購入し所有している、あるいは、無料で取得できる電子書籍などのコンテンツである。情報の最小単位は、電子書籍１冊であってもよいし、電子書籍１冊を構成する個々のページであってもよいし、１ページを構成する個々の記事であってもよい。
【００９８】
編纂データは、これには限定されないが、例えば、電子書籍（例えば、雑誌）のページまたは記事を寄せ集めたスクラップブックである。あるいは、雑誌とページとを特定する取得支援情報（例えば、しおり、ブックマーク）を寄せ集めたしおりリストであってもよい。
【００９９】
〔情報取得支援システム概要〕
図２は、本発明の一実施形態における、情報取得支援システムの概要を説明する図である。なお、以下の図面において同一または相当する部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【０１００】
本発明の情報取得支援システム１００は、少なくとも、通信端末装置１および情報管理サーバ２によって構築される。図２に示すとおり、情報取得支援システム１００は、必要に応じて、情報供給サーバ３を含んでいてもよい。これらの各装置は、インターネットなどの通信網を介して互いに通信可能である。
【０１０１】
通信端末装置１は、ユーザが携帯する装置であって、ユーザの位置を検出するための装置である。通信端末装置１は、ユーザの位置を示す情報である位置情報を、自装置が備える機能を用いて取得し、その位置情報を情報管理サーバ２に供給する。
【０１０２】
ここで、通信端末装置１は、一例として、電子書籍を閲覧可能な電子書籍リーダ（またはスマートフォン）によって実現される。つまり、通信端末装置１は、位置情報を取得する機能に加えて、電子書籍データを処理し、表示する機能を備えている。通信端末装置１は、通信端末装置１が処理できる電子書籍を管理するための書庫データベース（ＤＢ）を有しており、書庫ＤＢ（コンテンツのリスト）にて管理されている電子書籍を読み出し、表示することができる。
【０１０３】
さらに、通信端末装置１は、各電子書籍の一部の情報を寄せ集めて編纂データを生成する機能を有していることが好ましい。通信端末装置１は、一例として、雑誌（電子書籍）の切り抜き（ページ）を寄せ集めてスクラップブックを生成し、表示する機能を備えている。通信端末装置１は、生成したスクラップブックを記憶し、必要に応じてスクラップブックを表示することができる。
【０１０４】
なお、別の実施形態では、電子書籍データおよびスクラップブックを処理する上述の各機能は、通信端末装置１とは別の、ユーザの装置が備えていてもよい。
【０１０５】
情報管理サーバ２は、材料となる情報を位置に基づいて管理するための装置である。ここでは、情報管理サーバ２は、雑誌のページを位置情報に基づいて管理する。情報管理サーバ２は、雑誌のページを、特定の位置を示す位置情報に対応付けて管理するための登録情報ＤＢを有している。登録情報ＤＢは、各所に存在する各施設から登録された登録情報を管理するためのデータベースである。登録情報とは、各施設が当該施設の位置にちなんでユーザに見てほしい雑誌のページ（スクラップブックの材料）を登録するための情報である。登録情報は、当該施設が登録したい雑誌のページに、当該施設の位置情報が少なくとも対応付けられている。
【０１０６】
例えば、図２に示すとおり、ユーザの行動範囲には、ユーザが訪問できる様々な施設が存在している。施設は、例えば、品物またはサービスを販売、提供する店舗（店Ａ、店Ｂ、店Ｃ、店Ｄなど）、または、電子広告を表示するサイネージ４などであるが、施設は、上記の例に限定されない。これらの施設の運営者は、施設の通信端末装置を用いて、当該施設の位置情報に関連付けて、雑誌のページを、登録情報として情報管理サーバ２に送信する。上記雑誌のページには、例えば、その施設に関連する情報が掲載されている。
【０１０７】
情報管理サーバ２は、各施設の通信端末装置から受け付けた登録情報を、登録情報ＤＢに格納する。こうして、登録情報ＤＢには、施設を特定する情報と、施設の位置情報と、施設が推奨する雑誌のページとが関連付けられた登録情報が蓄積される。
【０１０８】
通信端末装置１は、通信端末装置１の書庫ＤＢにて管理される電子書籍（雑誌）のみを扱う構成であってもよいが、情報取得支援システム１００に情報供給サーバ３が含まれている場合には、情報供給サーバ３から新しい電子書籍を購入する構成であってもよい。
【０１０９】
情報供給サーバ３は、ユーザの通信端末装置に情報を供給する装置である。ここでは、情報供給サーバ３は、電子書籍を通信端末装置１に供給する。また、必須ではないが、情報供給サーバ３は、電子書籍（雑誌）の情報を、各施設に提供する構成であってもよい。各施設は、雑誌の内容を確認し、当該施設に関連する記事が掲載されたページがあれば、それを登録情報として情報管理サーバ２に送信することができる。
【０１１０】
次に、本発明の情報取得支援システム１００において、各装置が取り扱う情報（ここでは、電子書籍）のデータ構造について説明する。以下の各実施形態では、スクラップブックの材料として、電子書籍の１冊を構成する各ページを、最小の情報単位として取り扱えるものとする。そこで、以下の各実施形態では、雑誌１冊分の電子書籍は、電子書籍ＩＤが付与され、これにより、各装置は、１冊の雑誌を識別することが可能となる。さらに、１冊の雑誌を構成する各ページには、ページ番号が付与されている。これにより、各装置は、１冊の雑誌を、さらに、ページごとに識別することが可能となる。
【０１１１】
図３は、電子書籍（コンテンツ）のデータ構造および具体例を示す図である。なお、図３に示す例では、電子書籍は、構造体（テーブル）にて表されているが、電子書籍をどのようなデータ構造にて実現するかは適宜決定し得る事項であり、電子書籍のデータ構造およびこれを処理する情報取得支援装置の機能構成を限定する意図はない。データ構造に係る以降の各図においても同様である。
【０１１２】
上述したとおり、電子書籍（雑誌）は、それを識別するための電子書籍ＩＤと、電子書籍の本体である電子書籍データとで構成されている。そして、電子書籍データは、複数のページデータで構成されている。ページデータは、その電子書籍の各ページの本体（内容そのもの）である。ページデータは、テキストデータ、文書データ、ＨＴＭＬデータ、画像データ、映像データ、ＰＤＦデータなど、いずれの形式で構成されていてもよい。図３に示すとおり、ページデータの各々には、ページ番号が付与されており、これによって、各装置は、ページ単位で、スクラップブックの材料を取り扱うことができる。
【０１１３】
情報取得支援システム１００においては、図３に示すデータ構造を有する電子書籍が、複数管理され、処理される。複数の電子書籍は、情報供給サーバ３の電子書籍ＤＢに格納される構成であってもよいし、通信端末装置１が、すでにユーザが購入済みの複数の電子書籍を、上述の書庫ＤＢに保存し管理する構成であってもよい。
【０１１４】
図４は、通信端末装置１の書庫ＤＢ（または、情報供給サーバ３の電子書籍ＤＢ）で管理される、複数の電子書籍のデータ構造および具体例を示す図である。
【０１１５】
図３に示すデータ構造を有する電子書籍が、複数データベースにて管理される。図４に示すとおり、各電子書籍は、データベースにおいて、電子書籍ＩＤに関連付けて、電子書籍の様々な属性情報（タイトル、料金など）が格納される構造であることが好ましい。
【０１１６】
次に、情報取得支援システム１００を構成する上述の一部の装置または全ての装置によって実現される、本発明の情報取得支援装置の機能について、いくつかの実施形態に分けて詳細に説明する。
【０１１７】
≪実施形態１≫
以下では、情報取得支援システム１００の通信端末装置１および情報管理サーバ２が、本発明の情報取得支援装置として機能する実施形態を説明する。
【０１１８】
〔情報取得支援装置の構成〕
図１は、本発明の情報取得支援装置、すなわち、通信端末装置１および情報管理サーバ２の要部構成を示すブロック図である。
【０１１９】
本実施形態に係る通信端末装置１（情報取得支援装置）は、少なくとも、制御部１０、操作部１１、表示部１２、記憶部１３および測位部１４を備えている。通信端末装置１は、必要に応じて、近距離無線通信部１５を備えていてもよい。また、図示しないが、通信端末装置１は、近距離無線通信部１５とは別に、インターネットなどの通信網を介して外部の装置と通信を行う通信部を備えており、この通信部が、図１に示す情報管理サーバ２との間のデータの送受信を実現する。
【０１２０】
さらに、通信端末装置１は、電子書籍リーダ（またはスマートフォン）として本来備わっている機能を実現するために、例えば、図示しない、音声出力部、音声入力部、外部インターフェース、通話処理部、撮影を行う撮像部（レンズ・撮像素子など）、放送受像部（チューナ・復調部など）、および、センサ（加速度センサ、傾きセンサなど）他、電子書籍リーダ（またはスマートフォン）が標準的に備えている各種部品を備えていてもよい。
【０１２１】
本実施形態に係る情報管理サーバ２（情報取得支援装置）は、少なくとも、制御部２０、および、記憶部２１を備えている。また、図示しないが、情報管理サーバ２は、インターネットなどの通信網を介して外部の装置と通信を行う通信部を備えており、この通信部が、図１に示す通信端末装置１との間のデータの送受信を実現する。
【０１２２】
通信端末装置１の操作部１１は、ユーザが通信端末装置１に指示信号を入力するためのものである。操作部１１は、ボタン（十字キー、決定キー、文字入力キーなど）、スイッチなどで実現されてもよいし、タッチパネル、タッチセンサ、タッチペンなどで実現されてもよいし、音声入力部および音声認識部などで実現されてもよい。
【０１２３】
通信端末装置１の表示部１２は、通信端末装置１が扱う情報を表示するものである。表示部１２には、電子書籍を表示するためのアプリケーション、および、その他の搭載されているアプリケーションのアプリケーションウィンドウが表示されたり、ユーザが通信端末装置１を操作するためのＧＵＩ部品（ソフトウェアキーなど）が表示されたりする。しかし、これに限定されず、表示部１２には、通信端末装置１が処理できるあらゆる表示対象物が表示される。表示部１２は、例えば、ＬＣＤ（液晶ディスプレイ）などの表示装置で実現される。
【０１２４】
なお、操作部１１と表示部１２とは一体に成形されており、これらがタッチパネルを構成していてもよい。
【０１２５】
通信端末装置１の測位部１４は、通信端末装置１の位置を測定するために必要な情報を取得するものである。測位部１４によって取得された測位データは、制御部１０に入力され、制御部１０が、ユーザの位置を表す位置情報を取得するために用いられる。測位部１４は、例えば、全地球測位システム（ＧＰＳ；Global Positioning System）におけるＧＰＳアンテナを含む機構によって実現される。この場合、測位部１４は、ＧＰＳ衛星から発信された衛星電波に含まれる測位データ（ＧＰＳデータ）を受信する。ＧＰＳデータは、後述の位置情報取得部４０に供給される。
【０１２６】
通信端末装置１の近距離無線通信部１５は、無線で、近距離にある外部の装置と通信を行うものである。近距離無線通信部１５は、ＩｒＤＡ、ＩｒＳＳなどの赤外線通信、Ｂｌｕｅｔｏｏｔｈ（登録商標）通信、ＷｉＦｉ（登録商標）通信などの近距離無線通信、または、Ｆｅｌｉｃａ（登録商標）などの非接触型ＩＣカードなど、適宜の手段を用いることが可能である。
【０１２７】
記憶部（記憶部１３、記憶部２１、記憶部３１）は、それぞれの装置（通信端末装置１、情報管理サーバ２、情報供給サーバ３）の制御部が実行する（１）制御プログラム、（２）ＯＳプログラム、（３）制御部が、各装置が有する各種機能を実行するためのアプリケーションプログラム、および、（４）該アプリケーションプログラムを実行するときに読み出す各種データを記憶するものである。あるいは、（５）制御部が各種機能を実行する過程で演算に使用するデータおよび演算結果等を記憶するものである。例えば、上記の（１）〜（４）のデータは、ＲＯＭ（read only memory）、フラッシュメモリ、ＥＰＲＯＭ（Erasable Programmable ROM）、ＥＥＰＲＯＭ（Electrically EPROM）、ＨＤＤ（Hard Disc Drive）などの不揮発性記憶装置に記憶される。例えば、上記の（５）のデータは、ＲＡＭ（Random Access Memory）などの揮発性記憶装置に記憶される。どのデータを、上述のどの記憶装置で実現した記憶部に格納するのかについては、各装置の使用目的、利便性、コスト、物理的な制約などから適宜決定されればよい。
【０１２８】
本実施形態では、不揮発性記憶装置によって実現された、通信端末装置１の記憶部１３は、例えば、行動ログ記憶部５０、書庫ＤＢ記憶部５１、および、スクラップブック記憶部５２を含む。本実施形態では、不揮発性記憶装置によって実現された、情報管理サーバ２の記憶部２１は、例えば、登録情報ＤＢ記憶部７０を含む。
【０１２９】
制御部（制御部１０、制御部２０、制御部３０）は、それぞれの装置（通信端末装置１、情報管理サーバ２、情報供給サーバ３）が備える各部を統括制御するものである。制御部は、例えば、ＣＰＵ（central processing unit）などで実現され、各装置が備える機能は、制御部としてのＣＰＵが、ＲＯＭなどに記憶されているプログラムを、ＲＡＭなどに読み出して実行することで実現される。
【０１３０】
通信端末装置１の制御部１０は、機能ブロックとして、少なくとも、位置情報取得部４０、材料要求部４１、抽出結果取得部４２および材料選定部４３を備えている構成である。また、通信端末装置１の制御部１０は、必要に応じて、機能ブロックとして、データ編纂部４４および書籍提示部４５を備えていてもよい。
【０１３１】
情報管理サーバ２の制御部２０は、機能ブロックとして、位置情報取得部６０、材料抽出部６１および抽出結果通知部６２を備えている構成である。
【０１３２】
上述した制御部の各機能ブロックは、ＣＰＵ（central processing unit）が、ＲＯＭ（read only memory）、ＮＶＲＡＭ（non-Volatile random access memory）等で実現された記憶装置（不揮発性記憶装置）に記憶されているプログラムをＲＡＭ（random access memory）等（揮発性記憶装置）に読み出して実行することで実現できる。以下で説明する各制御部の各機能ブロックについても同様のことが言える。
【０１３３】
このようにして実現される、各装置の制御部の各種機能（特に、本発明の情報取得支援機能）について、以下に詳細に説明する。まずは、本実施形態の情報取得支援システム１００において取り扱われる電子書籍のデータ構造について説明し、次に、各装置の機能構成について説明する。
【０１３４】
通信端末装置１の位置情報取得部４０は、測位部１４によって検出された情報信号に基づいて、通信端末装置１、すなわち、これを所持するユーザの位置情報を取得するものである。測位部１４からＧＰＳデータが供給された場合には、位置情報取得部４０は、ＧＰＳデータに基づいて、電波の伝播時間等を算出し、緯度経度情報を位置情報として求める。なお、位置情報取得部４０が取得する位置情報は、緯度経度情報に限定されない。施設とユーザとの位置関係（ユーザがその施設を訪問した等）が識別できるように、
共通の尺度で施設またはユーザの位置を表現できるのであれば、どのような表現形態の位置情報を用いてもよい。例えば、位置情報は、基地局から取得される地名および番地情報であっても構わない。
【０１３５】
本実施形態では、位置情報取得部４０は、緯度経度が変わる度に位置情報を取得してもよいし、所定時間間隔で定期的に位置情報を取得してもよい。
【０１３６】
位置情報取得部４０は、位置情報を取得したときの時間情報を併せて取得してもよい。時間情報は、通信端末装置１を持つユーザのその位置に居たときの時刻または時間帯を示す情報である。ここでは、位置情報が取得された時の時刻を時間情報として位置情報に対応付けるものとする。
【０１３７】
位置情報取得部４０は、取得した位置情報および取得した時間情報を対応付けて行動ログ記憶部５０に格納する。
【０１３８】
図５は、行動ログ記憶部５０に記憶されている行動ログのデータ構造および具体例を示す図である。
【０１３９】
行動ログは、ユーザがいつどこに居たのかを示す情報であり、位置情報取得部４０によって取得された位置情報と時間情報とが対応付けられた情報である。本実施形態では、上述したとおり、位置情報として緯度経度情報が格納され、それに対応付けて、その位置情報が取得された時刻が時間情報として格納される。
【０１４０】
通信端末装置１の材料要求部４１は、ユーザの位置に関連する情報をスクラップブックの材料として取得するために、材料を情報管理サーバ２に要求するものである。具体的には、材料要求部４１は、位置情報取得部４０が取得した位置情報を少なくとも含む材料要求メッセージを情報管理サーバ２に送信する。これにより、材料要求メッセージに含まれたユーザの位置情報にちなんだスクラップブックの材料（ここでは雑誌のページ）を情報管理サーバ２に対して要求することができる。
【０１４１】
図６は、材料要求メッセージのデータ構造および具体例を示す図である。
【０１４２】
図６の（ａ）に示すとおり、材料要求部４１は、位置情報（ここでは緯度経度情報）を含む材料要求メッセージを生成し、送信する。ここで、図６の（ａ）に示すとおり、材料要求部４１は、要求元である通信端末装置１を特定しやすいように、通信端末装置１（またはユーザ）の識別情報を材料要求メッセージに含めることが好ましい。図６の（ａ）に示す例では、材料要求部４１は、通信端末装置１を所有するユーザの識別情報（以下、ユーザＩＤと称する）を材料要求メッセージに含める。
【０１４３】
材料要求部４１が、情報管理サーバ２に対して材料要求メッセージを送信するタイミングは特に限定されない。材料要求部４１は、図６の（ａ）に示すとおり、１つの行動ログ（位置情報）が取得される度に材料要求メッセージを送信してもよい。
【０１４４】
あるいは、材料要求部４１は、所定時間間隔で定期的に、そのときに蓄積された複数個の位置情報について材料を要求してもよい。この場合、材料要求部４１は、図６の（ｂ）に示すとおり、材料要求メッセージに、複数の位置情報を含めて情報管理サーバ２に送信する。
【０１４５】
あるいは、材料要求部４１は、１日の決まった時刻に材料要求メッセージを送信してもよい。あるいは、材料要求部４１は、電子書籍アプリケーション（書籍提示部４５など）が起動される度に、そのときに蓄積されている行動ログに基づいて材料要求メッセージを送信してもよい。あるいは、材料要求部４１は、決まった数の位置情報が蓄積された時点で材料要求メッセージを送信してもよい。
【０１４６】
なお、材料要求部４１は、図６の（ｂ）に示すとおり、材料要求メッセージに、さらに、位置情報に対応する時間情報を含めてもよい。
【０１４７】
情報管理サーバ２の位置情報取得部６０は、通信端末装置１によって送信された材料要求メッセージを解析し、材料要求メッセージに含まれる各種情報、特に、位置情報を取得するものである。
【０１４８】
情報管理サーバ２の材料抽出部６１は、登録情報ＤＢ記憶部７０に記憶された登録情報ＤＢを参照し、取得された位置情報に基づいて、その場所に関連する材料（雑誌のページ）を抽出するものである。材料抽出部６１は、電子書籍の電子書籍ＩＤとページ番号とを特定することにより、上記位置情報に関連する材料を抽出することができる。
【０１４９】
図７は、登録情報、および、登録情報ＤＢ記憶部７０に記憶されている登録情報ＤＢの、データ構造および具体例を示す図である。
【０１５０】
本実施形態では、各施設の運営者（店舗の経営者、サイネージの管理者など）は、以下の情報を含む登録情報を情報管理サーバ２宛に送信する。すなわち、登録情報は、少なくとも、登録主である施設を特定するための情報（以下、施設ＩＤ）と、その施設の運営者が登録したい雑誌の電子書籍ＩＤおよびその雑誌のページ番号と、その施設の位置情報とを含む。
【０１５１】
こうして、施設ＩＤ、電子書籍ＩＤおよびページ番号および位置情報を含む登録情報が、複数の施設から送信され、登録情報ＤＢ記憶部７０に記憶され、登録情報ＤＢが構築される。
【０１５２】
材料抽出部６１は、図７に示す登録情報ＤＢから、位置情報取得部６０によって取得された位置情報に対応する電子書籍ＩＤおよびページ番号（材料識別情報）を特定し、材料を抽出する。
【０１５３】
なお、登録情報は、他にも必要に応じて以下の情報を含んでいてもよい。すなわち、「施設名」、「分類」、「付加情報」の情報を含んでいてもよい。登録情報がこれらの情報を含む場合に、これらの情報がどのように利用されるのかについては後に詳述する（≪変形例１≫、≪その他の変形例≫など参照）。
【０１５４】
情報管理サーバ２の抽出結果通知部６２は、材料抽出部６１によって抽出された雑誌のページを特定できるように、電子書籍ＩＤおよびページ番号を少なくとも含む抽出結果応答メッセージを通信端末装置１に送信する。すなわち、抽出結果応答メッセージは、通信端末装置１から送信された材料要求メッセージに対する応答である。
【０１５５】
図８は、抽出結果応答メッセージのデータ構造および具体例を示す図である。
【０１５６】
図８に示す抽出結果応答メッセージは、図６の（ａ）に示す材料要求メッセージに対する応答の一具体例を示している。
【０１５７】
位置情報取得部６０は、図６の（ａ）に示す材料要求メッセージを通信端末装置１から受信すると、緯度経度情報「34.729000 度 , 135.790100 度」を位置情報として取得する。材料抽出部６１は、図７に示す登録情報ＤＢを参照し、緯度経度情報「34.729000 度 , 135.790100 度」が関連付けられた材料を抽出する。図７に示す例では、材料抽出部６１は、５〜７番目のレコード、および、１１番目のレコードを抽出することができる。
【０１５８】
抽出結果通知部６２は、抽出された、５〜７番目のレコード、および、１１番目のレコードの４つのレコードにそれぞれ含まれている電子書籍ＩＤおよびページ番号を、抽出結果応答メッセージに含める。こうして、抽出結果通知部６２は、図８に示す抽出結果応答メッセージを完成させる。抽出結果通知部６２は、抽出された材料が、どの要求（どの位置情報）に基づいて得られた結果であるのかを明確にするために、材料要求メッセージに含まれていた情報（ユーザＩＤ、位置情報など）を、再び、抽出結果応答メッセージに含めて返してもよい。
【０１５９】
通信端末装置１の抽出結果取得部４２は、情報管理サーバ２によって送信された抽出結果応答メッセージを解析し、抽出結果応答メッセージに含まれる各種情報、特に、材料を特定するための情報、すなわち、電子書籍ＩＤおよびページ番号を取得するものである。
【０１６０】
通信端末装置１の材料選定部４３は、書庫ＤＢ記憶部５１に記憶されている書庫ＤＢを参照して、抽出された材料のうち、ユーザが閲覧可能な材料を、スクラップブックの材料（編纂対象材料）として選定するものである。本実施形態では、ユーザが閲覧可能な材料とは、ユーザが入手済みの雑誌、すなわち、購入、または、無料でダウンロードした雑誌に含まれているページのことを指す。
【０１６１】
図９は、書庫ＤＢ記憶部５１に記憶されている書庫ＤＢのデータ構造および具体例を示す図である。
【０１６２】
通信端末装置１が保持する書庫ＤＢは、通信端末装置１のユーザが閲覧可能な雑誌を管理するものである。すなわち、書庫ＤＢに格納されている電子書籍ＩＤは、ユーザがその雑誌を買ったということを保証するものである。
【０１６３】
図９に示すとおり、書庫ＤＢは、少なくとも、ユーザが閲覧可能な雑誌の電子書籍ＩＤを格納している。本実施形態では、電子書籍の本体（電子書籍データ）は、通信端末装置１がローカルに保存していることとする。この場合、書庫ＤＢは、図９に示すとおり、電子書籍ＩＤに関連付けて、雑誌の本体、すなわち、電子書籍データを格納している。
【０１６４】
なお、電子書籍データの保存形態は、このような形態に限定されない。電子書籍データは、通信端末装置１の外部の記憶装置に保存されていてもよい。この場合、書庫ＤＢは、電子書籍ＩＤに関連付けて、その雑誌の格納場所（ネットワークパス、ＵＲＬ、保存先アドレス、リンク情報）を格納する。
【０１６５】
また、書庫ＤＢは、必要に応じて、電子書籍ＩＤに関連付けて、その電子書籍に関する属性情報、例えば、「書籍タイトル」、「料金」、「購入日」などを格納してもよい。
【０１６６】
なお、他の実施形態では、書庫ＤＢは情報供給サーバ３にあってもよい。この場合、情報供給サーバ３は、ユーザＩＤ（ユーザ識別情報）ごとに、図９の書庫ＤＢを保持し管理することになる。
【０１６７】
図９に示す具体例を用いて説明すると、材料選定部４３は、抽出結果取得部４２によって取得された材料（電子書籍ＩＤおよびページ番号）のうち、その材料が、書庫ＤＢに格納されている電子書籍ＩＤと一致する材料だけをスクラップブックの材料として選定する。
【０１６８】
例えば、図８に示すとおり、４つの材料、材料１「EB0002  P.22」、材料２「EB0002  P.90」、材料３「EB0003  P.110」、材料４「EB0005  P.1」が抽出結果取得部４２によって取得されたとする。材料選定部４３は、図９に示す書庫ＤＢを参照して、電子書籍ＩＤが一致する、材料１〜３だけをスクラップブックの材料として選定する。材料選定部４３は、材料４の雑誌（電子書籍ＩＤ：EB0005）がユーザによって購入されたという記録が書庫ＤＢに格納されていないため、材料４をスクラップの対象からはずす。
【０１６９】
通信端末装置１のデータ編纂部４４は、材料選定部４３によって選定された材料を、電子書籍データが格納されている場所から取得し、これをスクラップブックにスクラップするものである。選定された材料とは、ここでは、ユーザが購入済みの雑誌のページである。そして、電子書籍データが格納されている場所とは、ここでは、書庫ＤＢ記憶部５１である。データ編纂部４４は、選定された材料を寄せ集めて作成したスクラップブックをスクラップブック記憶部５２に格納する。
【０１７０】
図１０は、スクラップブック記憶部５２に記憶されているスクラップブックのデータ構造および具体例を示す図である。
【０１７１】
通信端末装置１は、スクラップブックを１冊の電子書籍と同様に取り扱うことができる。つまり、図１０に示すとおり、スクラップブックは、スクラップブック１冊を構成する各ページを識別するためのスクラップブックページ番号（索引番号）を保持している。データ編纂部４４は、寄せ集められた各材料に、一意のスクラップブックページ番号を割り当てることによりスクラップブックを生成する。図１０に示す例では、電子書籍ＩＤが「EB0001」の雑誌の第３０ページを、スクラップブックの第１ページに割り当てる。同様に、スクラップブックの第２ページ、第３ページ、・・・にも、材料選定部４３によって選定された雑誌のページを割り当てる。
【０１７２】
材料選定部４３によって選定された材料は、通信端末装置１（すなわちユーザ）の位置情報に基づいて、その場所にちなんで抽出された雑誌のページであって、ユーザが購入済みの雑誌のページが元になっている。したがって、スクラップブックは、ユーザが購入済のあらゆる雑誌に含まれる、ユーザの位置に関連するページばかりを寄せ集めた１冊の本になる。
【０１７３】
本実施形態では、スクラップブックは、スクラップブックページ番号に関連付けて、割り当てられた材料の本体のデータ、すなわち、ページデータを格納する。しかし、材料の本体は、スクラップブック記憶部５２以外の記憶部に格納されていたり、通信端末装置１の外部の記憶装置に格納されていたりしてもよい。この場合、ページデータの代わりに、そのページデータへアクセスするための格納場所を、スクラップブックページ番号に関連付けて格納する。
【０１７４】
また、スクラップブックには、スクラップブックページごとに、「更新日時」、「書籍タイトル」、「（このページを登録した施設の）施設名」など、当該ページに関連する属性情報が関連付けられていてもよい。
【０１７５】
通信端末装置１の書籍提示部４５は、電子書籍およびスクラップブックに係る表示対象物を表示部１２に表示するものである。書籍提示部４５は、操作部１１を介して入力された、ユーザ操作に応じて、指定された電子書籍およびスクラップブックの各ページを表示部に表示する。
【０１７６】
例えば、図３または図９に示す電子書籍のいずれかのアイコンが表示部１２に表示されており、ユーザがそれをタップすると、書籍提示部４５は、そのタップで選択された電子書籍の電子書籍データを処理し、ユーザが閲覧可能な表示形態に変換して表示部１２に出力する。また、書籍提示部４５は、ユーザ操作にしたがって、図１０に示すスクラップブックを処理し、ユーザが閲覧可能な表示形態に変換して表示部１２に出力する。さらに、書籍提示部４５は、ユーザが、電子書籍およびスクラップブックを、現実の本を読むような直感的な操作で閲覧できるように、書籍閲覧のためのユーザインターフェース（ＵＩ）を提供する。
【０１７７】
図１１は、書籍提示部４５によって表示部１２に表示されたスクラップブック表示画面の一具体例を示す図である。
【０１７８】
図１１の（ａ）は、図１０に示すスクラップブックの第１ページおよび第２ページを見開きで表示した状態を示す。図１１の（ｂ）は、図１０に示すスクラップブックの第３ページおよび第４ページを見開きで表示した状態を示す。このように、書籍提示部４５は、スクラップブックを、現実の本を開いているような感覚をユーザに与える表示形態で、提示することができる。さらに、図１１の（ａ）に示すように、ユーザが、表示されたページの端のあたりをタッチしてページをめくるようにドラッグすると、そのユーザ操作の操作信号が操作部１１を介して制御部１０に入力される。受け付けられた上記操作信号にしたがって、書籍提示部４５は、図１１の（ｂ）に示すように、次のページを表示部１２に表示することができる。
【０１７９】
以上のとおり、書籍提示部４５が提示するスクラップブックには、元の雑誌からスクラップされたページが複製され、貼り付けられている。貼り付けられたページの寄せ集めによってスクラップブックは１冊の電子書籍と同様に提示される。ユーザは、スクラップされたページだけをめくって閲覧することができる。
【０１８０】
あるいは、雑誌からあるページがスクラップブックにスクラップされると、元の雑誌からはスクラップされたページが切り取られて、当該ページはスクラップブックのみから閲覧できる構成であってもよい。上述のとおり、スクラップされたページは、元の雑誌にもそのまま残されて、元の雑誌からもスクラップブックからも該当ページを閲覧できる構成であってもよい。
【０１８１】
さらに、書籍提示部４５は、スクラップブックがユーザに閲覧されるように、注意喚起の通知を行うことが好ましい。例えば、書籍提示部４５は、新たなページがスクラップされるなど、データ編纂部４４によるスクラップブックの更新が生じた場合に、スクラップブックに更新が生じた旨をユーザに通知し、スクラップブックの閲覧を促すことが好ましい。
【０１８２】
また、書籍提示部４５は、１日の決まった時刻（例えば、２０時）にその時点でのスクラップブックの閲覧を促すメッセージをユーザに通知してもよい。１日の決まった時刻に閲覧されるスクラップブックには、その１日の間にユーザが行動した場所にちなんだ雑誌のページが集められている。したがって、ユーザは、１日の行動を振り返り、立ち寄った場所に関連する情報をスクラップブックから見直すことができる。これにより、購入した雑誌の中から、今まで気づかなかった有益な情報に気付くことができる。
【０１８３】
〔情報取得支援処理の流れ〕
図１２は、本発明の一実施形態における情報取得支援装置（通信端末装置１および情報管理サーバ２）によって実行される情報取得支援処理の流れを示すフローチャートである。
【０１８４】
通信端末装置１の測位部１４によって検出された測位データに基づいて、位置情報取得部４０は、位置情報を取得する（Ｓ１０１）。
【０１８５】
ここで、材料要求部４１は、スクラップブックの材料を要求する条件が満たされた場合（Ｓ１０２においてＹＥＳ）、取得された位置情報を含む材料要求メッセージを情報管理サーバ２に送信する（Ｓ１０３）。材料要求部４１は、材料要求メッセージに、位置情報を単数含めてもよいし、複数含めてもよい。
【０１８６】
一方、条件が満たされない場合には（Ｓ１０２においてＮＯ）、位置情報取得部４０は、取得した位置情報を行動ログ記憶部５０に記憶し（Ｓ１０４）、次の測位データ検出に備える。位置情報取得部４０は、位置情報とともに取得した時刻を時間情報として併せて行動ログ記憶部５０に記憶してもよい。
【０１８７】
なお、スクラップブックの材料を要求する条件とは、具体的には、(i)取得された位置情報が直前の位置情報から変化したとき、(ii)行動ログ記憶部５０に記憶されている位置情報が所定個数以上蓄積されたとき、(iii)予め指定された時刻になったとき、(iv)所定時間が経過したとき（定期的に要求する）、などあらゆる条件が考えられる。
【０１８８】
情報管理サーバ２の位置情報取得部６０は、上記材料要求メッセージを受信すると、それに含まれる位置情報を取得する（Ｓ１０５）。
【０１８９】
材料抽出部６１は、登録情報ＤＢ記憶部７０を参照し、登録情報ＤＢから、Ｓ１０５にて取得された位置情報と一致する材料（すなわち雑誌のページ）を検索する。取得された位置情報と一致する材料が登録情報ＤＢに登録されていれば（Ｓ１０６においてＹＥＳ）、材料抽出部６１は、その雑誌のページを特定するための電子書籍ＩＤおよびページ番号を抽出する（Ｓ１０７）。材料抽出部６１は、１つの位置情報に対して、対応するページが複数あれば、複数抽出することができる。材料抽出部６１は、取得された位置情報が複数あれば、位置情報ごとに対応する材料（ページ）を抽出する。
【０１９０】
抽出結果通知部６２は、材料抽出部６１によって抽出された１または複数のページの電子書籍ＩＤおよびページ番号を含む抽出結果応答メッセージを生成し、通信端末装置１に送信する（Ｓ１０８）。抽出結果通知部６２は、上記材料要求メッセージに位置情報が複数含まれていた場合には、その位置情報ごとに抽出された各ページの電子書籍ＩＤおよびページ番号を抽出結果応答メッセージに含める。
【０１９１】
一方、取得された位置情報と一致する材料が検出されなかった場合には（Ｓ１０６においてＮＯ）、上記材料要求メッセージに対して応答すべき材料は存在せず、上記材料要求メッセージに基づくトランザクションは終了する。情報管理サーバ２は、次の材料要求メッセージの受信に備える。この場合（Ｓ１０６においてＮＯ）、抽出結果通知部６２は、材料が抽出されなかった旨の通知を、上記材料要求メッセージに対する応答として返してもよい。
【０１９２】
続いて、通信端末装置１の抽出結果取得部４２は、上記抽出結果応答メッセージを受信すると、それに含まれる、抽出されたページの電子書籍ＩＤおよびページ番号を取得する（Ｓ１０９）。
【０１９３】
材料選定部４３は、書庫ＤＢ記憶部５１に記憶されている書庫ＤＢを参照し、Ｓ１０９にて取得されたページの電子書籍ＩＤが、書庫ＤＢに登録されている電子書籍ＩＤのいずれかに一致するかどうかを判断する（Ｓ１１０）。ここで、取得された電子書籍ＩＤが、書庫ＤＢの電子書籍ＩＤのいずれとも一致しない場合には（Ｓ１１０においてＮＯ）、材料選定部４３は、そのページをスクラップブックに追加する材料として選定しない。一方、取得された電子書籍ＩＤが、書庫ＤＢの電子書籍ＩＤのいずれかと一致する場合には（Ｓ１１０においてＹＥＳ）、その電子書籍ＩＤおよびページ番号によって特定されるページをスクラップブックの材料として選定する。材料選定部４３は、上記抽出結果応答メッセージに複数の電子書籍ＩＤおよびページ番号のセットが含まれている場合には、そのセットごとにＳ１１０の判定を行う。
【０１９４】
なお、１または複数の電子書籍ＩＤおよびページ番号のセットのいずれも、書庫ＤＢの電子書籍ＩＤと一致しなかった場合（Ｓ１１０においてＮＯ）、通信端末装置１は、スクラップブックに追加すべき材料が存在しないために当該トランザクションを終了し、次の位置情報取得に備える。
【０１９５】
材料選定部４３がスクラップブックの材料として選定した電子書籍ＩＤおよびページ番号のセットが１以上あるとき（Ｓ１１０においてＹＥＳ）、データ編纂部４４は、選定されたページの電子書籍ＩＤおよびページ番号に基づいて、当該電子書籍ＩＤおよびページ番号が特定するページのページデータを書庫ＤＢ記憶部５１から取得する（Ｓ１１１）。そして、データ編纂部４４は、取得したページデータをスクラップブックに追加する（Ｓ１１２）。具体的には、データ編纂部４４は、図１０に示すとおり、スクラップブックページ番号に関連付けて、取得したページデータをスクラップブック記憶部５２に格納する。
【０１９６】
ここで、書籍提示部４５は、スクラップブックを提示する条件が満たされた場合に（Ｓ１１３においてＹＥＳ）、スクラップブックをユーザに提示する（Ｓ１１４）。スクラップブックをユーザに提示するとは、スクラップブックの各ページを閲覧可能な表示形態にて表示部１２に表示すること、および、スクラップブックの閲覧を促す通知を表示部１２に表示することなどを含む。
【０１９７】
なお、スクラップブックを提示する条件とは、具体的には、(i)Ｓ１１２にてスクラップブックが更新されたとき、(ii)スクラップブック記憶部５２に記憶されているスクラップの未読のページが所定ページ数以上増加したとき、(iii)予め指定された時刻になったとき、(iv)所定時間が経過したとき（定期的に提示する）、などあらゆる条件が考えられる。
【０１９８】
≪実施形態２≫
実施形態１では、情報取得支援システム１００は、ユーザが閲覧可能な（購入済みの）電子書籍の管理を通信端末装置１自身が行う構成であった。本実施形態では、情報取得支援システム１００は、情報供給サーバ３を含んでいる。通信端末装置１は、情報供給サーバ３から随時電子書籍を購入することができる。そして、情報供給サーバ３が、ユーザが閲覧可能な（購入済みの）電子書籍の管理をユーザごとに行う。そして、通信端末装置１が、スクラップブックの管理を自身で行う。
【０１９９】
以下では、情報取得支援システム１００の通信端末装置１、情報管理サーバ２および情報供給サーバ３が、本発明の情報取得支援装置として機能する実施形態を説明する。
【０２００】
〔情報取得支援装置の構成〕
図１３は、本発明の情報取得支援装置、すなわち、通信端末装置１、情報管理サーバ２および情報供給サーバ３の要部構成を示すブロック図である。
【０２０１】
図１３に示す情報取得支援装置において、実施形態１（図１）の情報取得支援装置と異なる主な点は、通信端末装置１が材料選定部４３を備える代わりに、情報供給サーバ３が材料選定部８１を備えている点である。
【０２０２】
本実施形態では、通信端末装置１の制御部１０は、抽出結果取得部４２および材料選定部４３を備えている必要がない。本実施形態では、制御部１０は、必要に応じて、購入処理部４６を備えていることが好ましい。
【０２０３】
情報供給サーバ３は、制御部３０および記憶部３１を少なくとも備える構成である。制御部３０は、機能ブロックとして、少なくとも、抽出結果取得部８０、材料選定部８１および選定材料送信部８２を備えている構成である。また、制御部３０は、必要に応じて、機能ブロックとしての販売処理部８３を備えていることが好ましい。
【０２０４】
本実施形態では、通信端末装置１の材料要求部４１は、位置情報に加えて、ユーザＩＤを含めて材料要求メッセージを生成する。材料要求メッセージに含まれるユーザＩＤは、通信端末装置１のユーザを識別するための情報であり、情報管理サーバ２および情報供給サーバ３が共通で上記ユーザを識別するために用いられる。
【０２０５】
情報管理サーバ２の位置情報取得部６０は、上記材料要求メッセージから、位置情報に加えて、ユーザＩＤを取得する。
【０２０６】
情報管理サーバ２の抽出結果通知部６２は、位置情報に対応するページの電子書籍ＩＤおよびページ番号に加えて、上記材料要求メッセージに含まれるユーザＩＤを含めて抽出結果応答メッセージを生成する。抽出結果応答メッセージには、図８に示すとおり、位置情報が含まれていてもよい。そして、抽出結果通知部６２は、上記抽出結果応答メッセージを、通信端末装置１ではなく、情報供給サーバ３に送信する。上記抽出結果応答メッセージは、本実施形態では、情報供給サーバ３に対し、ページの選定を依頼する要求メッセージとして機能する。情報供給サーバ３は、上記抽出結果応答メッセージを受け付けて、抽出された各ページからユーザＩＤに対応するユーザが閲覧可能なページを選定することができる。
【０２０７】
情報供給サーバ３の抽出結果取得部８０は、情報管理サーバ２によって送信された抽出結果応答メッセージを解析するものである。そして、抽出結果取得部８０は、抽出結果応答メッセージに含まれる各種情報、特に、ユーザＩＤ、ならびに、抽出されたページ（電子書籍ＩＤおよびページ番号）を取得する。
【０２０８】
情報供給サーバ３の材料選定部８１は、スクラップブックの材料を選定するものである。具体的には、材料選定部８１は、書庫ＤＢ記憶部９０に記憶されている、上記ユーザＩＤに対応するユーザの書庫ＤＢを参照する。そして、材料選定部８１は、抽出された材料のうち、上記ユーザが閲覧可能な材料を、当該ユーザのスクラップブックの材料として選定する。
【０２０９】
図１４は、書庫ＤＢ記憶部９０に記憶されている書庫ＤＢのデータ構造および具体例を示す図である。
【０２１０】
図１４に示す情報供給サーバ３が保持する書庫ＤＢが、図９に示す通信端末装置１が保持する書庫ＤＢと異なる点は、情報供給サーバ３の書庫ＤＢでは、ユーザＩＤに基づいて、ユーザごとに書庫が管理される点である。
【０２１１】
図１４に示すとおり、書庫ＤＢには、ユーザＩＤに関連付けて複数の電子書籍ＩＤが格納されている。このユーザＩＤに紐付けられた電子書籍ＩＤであって、購入日に日付が格納されている電子書籍ＩＤは、当該ユーザＩＤに対応するユーザがその雑誌を買ったということを保証するものである。
【０２１２】
図１４に示すとおり、書庫ＤＢは、少なくとも、ユーザが閲覧可能な雑誌の電子書籍ＩＤを格納している。本実施形態では、電子書籍の本体（電子書籍データ）は、情報供給サーバ３が、電子書籍ＤＢ記憶部９１にローカルに保存していることとする。電子書籍ＤＢ記憶部９１に記憶されている電子書籍ＤＢのデータ構造および具体例は、図４に示すとおりである。つまり、電子書籍ＩＤをキーとして引き出せる属性情報（書籍タイトル、料金など）は、図４の電子書籍ＤＢに記憶されているので、図１４の書庫ＤＢは、これらの属性情報を格納しておく必要はない。反対に、ユーザＩＤおよび電子書籍ＩＤをキーとしなければ引き出せない属性情報は、図１４の書庫ＤＢに格納しておくことが好ましい。例えば、このような属性情報の例としては、図１４に示すとおり、ユーザがその雑誌を購入した日付（購入日）、そのユーザにその雑誌を購入するよう推奨したことを示すフラグ（「お薦め中」のフラグ）などが考えられる。このように、情報供給サーバ３の書庫ＤＢにおいて、購入が完了している電子書籍だけではなく、未購入であるが推奨した電子書籍についても、ユーザごとの書庫ＤＢにて管理しておくことが好ましい。推奨した電子書籍が購入されたら、すぐに、その電子書籍の中のスクラップすべきページをそのユーザに通知することができるからである。
【０２１３】
本実施形態では、材料選定部８１は、書庫ＤＢ記憶部９０に記憶されている書庫ＤＢの中から、まず、抽出結果取得部８０が取得したユーザＩＤに対応するレコードであって、購入日に日付が格納されているレコードを抽出する。購入日に日付が格納されているレコードは、その電子書籍がその日に購入された、すなわち、そのユーザが閲覧可能な電子書籍であることを示している。図１４に示す例では、例えば、取得されたユーザＩＤがＣＬ０００１の場合、材料選定部８１は、電子書籍ＩＤがＥＢ０００１、ＥＢ０００２、ＥＢ０００３、ＥＢ１２６８の４つのレコードを抽出する。
【０２１４】
材料選定部８１は、抽出結果取得部８０によって取得された電子書籍ＩＤが、上記抽出したレコードの中のいずれかの電子書籍ＩＤと一致した場合に、上記取得された電子書籍ＩＤおよびページ番号が示すページを、上記ユーザのスクラップブックの材料として選定する。上述の例では、抽出結果取得部８０によって取得された電子書籍ＩＤが、ＥＢ０００１、ＥＢ０００２、ＥＢ０００３、ＥＢ１２６８のいずれかであれば、材料選定部８１は、その電子書籍ＩＤおよびページ番号が示すページを、ＣＬ０００１のユーザのスクラップブックの材料として選定する。
【０２１５】
材料選定部８１は、抽出結果取得部８０によって取得されたページが複数ある場合には、そのページごとに、そのページの電子書籍が購入済みかどうか検証する。
【０２１６】
情報供給サーバ３の選定材料送信部８２は、スクラップブックの材料（ページ）が１以上選定された場合には、上記ユーザＩＤに対応する通信端末装置１宛てに、選定された材料（雑誌のページ）の情報、すなわち、電子書籍ＩＤおよびページ番号を通知する。具体的には、選定材料送信部８２は、抽出結果通知部６２から出力された抽出結果応答メッセージに含まれる材料の中から、材料選定部８１によってさらに選定されて残った材料の電子書籍ＩＤおよびページ番号を含む最終結果応答メッセージを生成し、通信端末装置１に送信する。最終結果応答メッセージのデータ構造は、図８に示す抽出結果応答メッセージのデータ構造と同様である。
【０２１７】
なお、材料選定部８１は、電子書籍ＩＤおよびページ番号の代わりに、電子書籍ＩＤおよびページ番号に基づいて電子書籍ＤＢ記憶部９１から取得したページデータそのものを、最終結果応答メッセージに含めて供給してもよい。あるいは、材料選定部８１は、選定した材料の電子書籍ＩＤおよびページ番号を含む最終結果応答メッセージを、抽出結果応答メッセージ（選定依頼）に対する応答として情報管理サーバ２に送信してもよい。この場合、情報管理サーバ２が、選定された材料の電子書籍ＩＤおよびページ番号を通信端末装置１に通知する。
【０２１８】
なお、材料選定部８１が、抽出結果取得部８０によって取得されたページが含まれている雑誌がすべて未購入であると判断することが想定される。この場合、選定材料送信部８２は、電子書籍ＩＤおよびページ番号を含む最終結果応答メッセージの代わりに、スクラップブックに追加できる材料がない旨を知らせる通知を含む最終結果応答メッセージを通信端末装置１に送信することが好ましい。さらに、選定材料送信部８２は、抽出結果取得部８０によって取得されたページが含まれている未購入の雑誌を推奨する販売促進の通知を上記最終結果応答メッセージに含めることが好ましい。選定材料送信部８２が、販売促進の通知を含む最終結果応答メッセージを通信端末装置１に送信した場合には、選定材料送信部８２は、推奨した雑誌の電子書籍ＩＤと、ユーザにその雑誌を購入するよう推奨したことを示すフラグ（「お薦め中」のフラグ）とを関連付けて、上記ユーザの書庫ＤＢ（図１４）に追加する。
【０２１９】
販売促進の通知を含む最終結果応答メッセージは、通信端末装置１の購入処理部４６によって受信される。
【０２２０】
通信端末装置１の購入処理部４６は、販売促進の通知に基づいて推奨された雑誌の購入を促す通知を表示部１２に表示するものである。また、操作部１１を介して入力された、ユーザによる電子書籍購入指示を受け付けて、上記推奨された雑誌の購入処理を実行するものである。雑誌の購入処理は、通信端末装置１の購入処理部４６と、情報供給サーバ３の販売処理部８３との間の通信によって実現される。上記購入処理には、通信網を介して行われる既存の決済システムを適宜適用することが可能である。
【０２２１】
情報供給サーバ３の販売処理部８３は、通信端末装置１の購入処理部４６と通信して、雑誌の購入を受け付けると、書庫ＤＢ記憶部９０を参照し、通信端末装置１のユーザの書庫ＤＢに、新たに購入された雑誌のレコード（電子書籍ＩＤと購入日）を登録する。あるいは、すでに、レコードが登録されている場合には、「お薦め中」のフラグを、購入された日付に書き換える。
【０２２２】
材料選定部８１は、「お薦め中」のフラグが購入日に書き換えられたことにより、先に、スクラップブックの材料にできないと判断したページを、スクラップブックの材料として選定できるようになる。この場合、選定材料送信部８２は、そのページの電子書籍ＩＤおよびページ番号を含む最終結果応答メッセージを生成し、通信端末装置１に送信してもよい。
【０２２３】
〔情報取得支援処理の流れ〕
図１５は、本発明の一実施形態における情報取得支援装置（通信端末装置１、情報管理サーバ２および情報供給サーバ３）によって実行される情報取得支援処理の流れを示すフローチャートである。
【０２２４】
Ｓ２０１〜Ｓ２０７は、図１２に示すＳ１０１〜Ｓ１０７に対応する。ただし、本実施形態では、通信端末装置１の材料要求部４１は、Ｓ２０３において、材料要求メッセージに、位置情報と、ユーザＩＤとを含めて、情報管理サーバ２に送信する。
【０２２５】
情報管理サーバ２は、実施形態１と同様に、通信端末装置１から取得した位置情報に基づいて、登録されている材料を抽出する（Ｓ２０５〜Ｓ２０７）。
【０２２６】
情報管理サーバ２の抽出結果通知部６２は、材料抽出部６１によって抽出された１または複数のページの電子書籍ＩＤおよびページ番号、ならびに、上記材料要求メッセージに含まれているユーザＩＤを含む抽出結果応答メッセージを生成し、情報供給サーバ３に送信する（Ｓ２０８）。
【０２２７】
続いて、情報供給サーバ３の抽出結果取得部８０は、上記抽出結果応答メッセージを受信すると、それに含まれる、抽出されたページの電子書籍ＩＤおよびページ番号、ならびに、ユーザＩＤを取得する（Ｓ２０９）。
【０２２８】
材料選定部８１は、書庫ＤＢ記憶部９０に記憶されている書庫ＤＢを参照し、上記ユーザＩＤに関連付けられたレコードであって、購入日が記録されているレコードを抽出する。そして、Ｓ２０９にて取得されたページの電子書籍ＩＤが、書庫ＤＢから抽出したレコードの電子書籍ＩＤのいずれかに一致するかどうかを判断する（Ｓ２１０）。すなわち、Ｓ２０９にて取得されたページの電子書籍が、ユーザＩＤに対応するユーザによって既に購入されているのか否かを判断する。
【０２２９】
ここで、取得された電子書籍ＩＤが、書庫ＤＢから抽出されたレコードの電子書籍ＩＤのいずれとも一致しない場合には（Ｓ２１０においてＮＯ）、材料選定部８１は、そのページを、上記ユーザのスクラップブックに追加する材料として選定しない。
【０２３０】
ここで、取得された電子書籍ＩＤが、書庫ＤＢから抽出されたレコードの電子書籍ＩＤのいずれかと一致する場合には（Ｓ２１０においてＹＥＳ）、その電子書籍ＩＤおよびページ番号によって特定されるページをスクラップブックの材料として選定する（Ｓ２１１）。
【０２３１】
なお、材料選定部８１は、上記抽出結果応答メッセージに複数の電子書籍ＩＤおよびページ番号のセットが含まれている場合には、そのセットごとにＳ２１０の判定を行う。
【０２３２】
Ｓ２１１に続いて、選定材料送信部８２は、材料選定部８１によって選定された１または複数のページの電子書籍ＩＤおよびページ番号を含む最終結果応答メッセージを生成し、通信端末装置１に送信する（Ｓ２１２）。Ｓ２０３にて、位置情報が複数送信された場合には、選定材料送信部８２は、位置情報ごとに選定された電子書籍ＩＤおよびページ番号を最終結果応答メッセージに含める。
【０２３３】
続いて、通信端末装置１のデータ編纂部４４は、上記最終結果応答メッセージを受信すると、それに含まれる、スクラップブックに追加するべく選定されたページの電子書籍ＩＤおよびページ番号を取得する（Ｓ２１３）。
【０２３４】
データ編纂部４４は、取得したページの電子書籍ＩＤおよびページ番号に基づいて、当該電子書籍ＩＤおよびページ番号が特定するページのページデータを書庫ＤＢ記憶部５１から取得する（Ｓ２１４）。なお、ページ本体（ページデータ）がローカルに保存されていない場合には、データ編纂部４４は、そのページデータが保存されている装置または記録媒体にアクセスして、上記ページデータを取得する。そして、データ編纂部４４は、取得したページデータをスクラップブックに追加する（Ｓ２１５）。
【０２３５】
以降の処理、すなわち、Ｓ２１６およびＳ２１７は、図１２に示すＳ１１３およびＳ１１４にそれぞれ対応する。
【０２３６】
なお、Ｓ２１０において、Ｓ２０９で取得された電子書籍ＩＤのいずれも、書庫ＤＢから抽出されたレコードの電子書籍ＩＤと一致しない場合が想定される（Ｓ２１０においてＮＯ）。つまり、位置情報に基づいて抽出された材料が載っている雑誌は、いずれもユーザが未購入であるということも考えられる。この場合、選定材料送信部８２は、電子書籍ＩＤおよびページ番号を含む最終結果応答メッセージの代わりに、上記未購入の雑誌の購入を薦める販売促進の通知を含む最終結果応答メッセージを通信端末装置１に送信することが好ましい（Ｓ２１８）。販売促進の通知には、推奨する雑誌の、電子書籍ＩＤ、書籍タイトル、料金、ジャンル、目次、出版社、発行日などの属性情報が含まれていてもよい。
【０２３７】
通信端末装置１の購入処理部４６は、上記販売促進の通知を受信すると、推奨された雑誌の情報（電子書籍ＩＤ、書籍タイトル、料金など）を表示部１２に表示する（Ｓ２１９）。
【０２３８】
例えば、購入ボタンをタップするなど、操作部１１を介して、電子書籍購入指示が入力された場合には（Ｓ２２０においてＹＥＳ）、購入処理部４６は、情報供給サーバ３の販売処理部８３と通信して、上記雑誌を購入するための処理を実行する（Ｓ２２１）。
【０２３９】
一方、情報供給サーバ３の販売処理部８３は、通信端末装置１の購入処理部４６と通信して、雑誌の購入を受け付けると、既存の販売（決済）処理を行う（Ｓ２２２）。さらに、販売処理部８３は、書庫ＤＢ記憶部９０を参照し、通信端末装置１のユーザの書庫ＤＢに、新たに購入された雑誌のレコード（電子書籍ＩＤと購入日）を登録する（Ｓ２２３）。あるいは、すでに、レコードが登録されている場合には、「お薦め中」のフラグを、購入された日付に書き換える（Ｓ２２３）。
【０２４０】
その後、材料選定部８１は、「お薦め中」のフラグが購入日に書き換えられたことにより、先に、スクラップブックの材料にできないと判断したページを、スクラップブックの材料として選定できるようになる（Ｓ２１０においてＹＥＳ、Ｓ２１１）。この場合、選定材料送信部８２は、そのページの電子書籍ＩＤおよびページ番号を含む最終結果応答メッセージを生成し、再度、通信端末装置１に送信してもよい（Ｓ２１２）。
【０２４１】
≪実施形態３≫
実施形態２では、情報取得支援システム１００は、ユーザが閲覧可能な（購入済みの）電子書籍の管理を情報供給サーバ３がユーザごとに行う構成であった。そして、スクラップブックの管理を通信端末装置１自身が行う構成であった。本実施形態では、情報供給サーバ３が、購入済みの電子書籍の管理に加えて、スクラップブックの管理をユーザごとに行う。
【０２４２】
以下では、情報取得支援システム１００の通信端末装置１、情報管理サーバ２および情報供給サーバ３が、本発明の情報取得支援装置として機能する実施形態を説明する。
【０２４３】
〔情報取得支援装置の構成〕
図１６は、本発明の情報取得支援装置、すなわち、通信端末装置１、情報管理サーバ２および情報供給サーバ３の要部構成を示すブロック図である。
【０２４４】
図１６に示す情報取得支援装置において、実施形態２（図１３）の情報取得支援装置と異なる主な点は、通信端末装置１がデータ編纂部４４を備える代わりに、情報供給サーバ３がデータ編纂部８４を備えている点である。また、スクラップブック記憶部は、通信端末装置１ではなく、情報供給サーバ３が保持している点も異なっている。
【０２４５】
本実施形態では、通信端末装置１の制御部１０は、データ編纂部４４を備えている必要がない。本実施形態では、制御部１０は、機能ブロックとして、データ編纂部４４の代わりに編纂データ取得部４７を備えている構成である。また、通信端末装置１の記憶部１３は、スクラップブック記憶部５２を備えている必要がない。
【０２４６】
本実施形態では、情報供給サーバ３の制御部３０は、機能ブロックとして、さらに、データ編纂部８４および編纂データ供給部８５を備えている構成である。
【０２４７】
本実施形態では、実施形態２と同様に、通信端末装置１から材料要求メッセージが送信され、情報管理サーバ２から抽出結果応答メッセージが送信され、情報供給サーバ３の材料選定部８１が、通信端末装置１のユーザのスクラップブックに追加すべき材料の選定を行う。
【０２４８】
情報供給サーバ３のデータ編纂部８４は、材料選定部８１によって選定された材料（雑誌のページ）に基づいて、上記ユーザのスクラップブックを生成、更新するものである。データ編纂部８４は、材料選定部８１によって選定された材料（ページデータ）を、その電子書籍ＩＤおよびページ番号に基づいて、電子書籍ＤＢ記憶部９１に記憶されている電子書籍ＤＢより取得することができる。そして、データ編纂部８４は、上記ユーザのユーザＩＤに対応付けられたスクラップブックに、上記取得したページデータを追加する。
【０２４９】
ユーザごとのスクラップブックは、スクラップブック記憶部９２に記憶されている。なお、ページの本体（ページデータ）の保存場所は、外部の記憶装置であってもよい。
【０２５０】
図１７は、スクラップブック記憶部９２に記憶されているスクラップブックのデータ構造および具体例を示す図である。
【０２５１】
図１７に示す情報供給サーバ３が保持するスクラップブックが、図１０に示す通信端末装置１が保持するスクラップブックと異なる点は、情報供給サーバ３のスクラップブック記憶部９２では、ユーザＩＤに基づいて、ユーザごとにスクラップブックが管理される点である。
【０２５２】
図１７に示す例では、ユーザごとにスクラップブックが１冊関連付けられており、ユーザＩＤに関連付けて、スクラップブックの各スクラップブックページ番号が格納されている。上記データ構造によれば、データ編纂部８４は、ユーザＩＤおよびスクラップブックページ番号をキーにして、特定のユーザのスクラップブックのページを一意に特定することができる。
【０２５３】
情報供給サーバ３の編纂データ供給部８５は、新たなページが追加されるなどして、スクラップブックが更新されたり、新規にスクラップブックが作成されたりしたことを、通信端末装置１に通知するものである。また、編纂データ供給部８５は、通信端末装置１からの要求に応じて、通信端末装置１のユーザのスクラップブックを通信端末装置１に供給するものである。
【０２５４】
編纂データ供給部８５は、決まった時刻にその時点でのスクラップブックが閲覧されるように、各通信端末装置に通知してもよい。また、編纂データ供給部８５は、通信端末装置１から要求がなくても、その時点に生成されたスクラップブックを所定のタイミングで送信してもよい。
【０２５５】
通信端末装置１の編纂データ取得部４７は、編纂データ供給部８５によって供給されたスクラップブックに係る通知を受信したり、スクラップブックそのものを受信したりするものである。編纂データ取得部４７は、上記通知を受信した場合には、スクラップブックの閲覧を促すメッセージを表示するように書籍提示部４５に指示する。編纂データ取得部４７は、上記スクラップブックを受信した場合には、受信したスクラップブックを閲覧可能な表示形態で表示するように書籍提示部４５に指示する。
【０２５６】
あるいは、操作部１１を介して、スクラップブックをダウンロードする旨の指示がユーザより入力された場合には、編纂データ取得部４７は、編纂データ供給部８５に対して、スクラップブックを要求する要求メッセージを送信する。
【０２５７】
なお、本実施形態では、情報供給サーバ３の制御部３０は、必要に応じて、材料選定部８１が抽出されたページの雑誌が未購入であると判定した場合に、その雑誌の購入を薦める販売促進の通知を通信端末装置１に送信する選定材料送信部８２を備えていることが好ましい。
【０２５８】
〔情報取得支援処理の流れ〕
図１８は、本発明の一実施形態における情報取得支援装置（通信端末装置１、情報管理サーバ２および情報供給サーバ３）によって実行される情報取得支援処理の流れを示すフローチャートである。
【０２５９】
Ｓ３０１〜Ｓ３１１は、図１５に示すＳ２０１〜Ｓ２１１に対応する。
【０２６０】
情報供給サーバ３の材料選定部８１は、実施形態２と同様に、情報管理サーバ２によって抽出された材料の中から、通信端末装置１のユーザのスクラップブックに追加するべき材料を選定する（Ｓ３１１）。
【０２６１】
データ編纂部８４は、選定されたページの電子書籍ＩＤおよびページ番号に基づいて、当該電子書籍ＩＤおよびページ番号が特定するページのページデータを電子書籍ＤＢ記憶部９１から取得する（Ｓ３１２）。なお、ページ本体（ページデータ）がローカルに保存されていない場合には、データ編纂部８４は、そのページデータが保存されている装置または記録媒体にアクセスして、上記ページデータを取得する。そして、データ編纂部８４は、取得したページデータを、Ｓ３０９にて取得されたユーザＩＤが対応付けられているスクラップブックに追加する（Ｓ３１３）。
【０２６２】
編纂データ供給部８５は、スクラップブックを通知または供給する条件が満たされた場合に（Ｓ３１４においてＹＥＳ）、スクラップブックを通信端末装置１に対して、通知または供給する（Ｓ３１５）。スクラップブックを通信端末装置１に通知するとは、スクラップブックの閲覧を促す通知を通信端末装置１に送信することを含む。スクラップブックを通信端末装置１に供給するとは、スクラップブックのデータ本体を通信端末装置１に送信することを含む。
【０２６３】
なお、スクラップブックを通知または供給する条件とは、具体的には、(i)Ｓ３１３にてスクラップブックが更新されたとき、(ii)スクラップブック記憶部９２に記憶されているスクラップの未読のページが所定ページ数以上増加したとき、(iii)予め指定された時刻になったとき、(iv)所定時間が経過したとき（定期的に通知または供給する）、などあらゆる条件が考えられる。
【０２６４】
通信端末装置１の編纂データ取得部４７は、情報供給サーバ３から上述のスクラップブックの通知を受信した場合には、スクラップブックの閲覧を促す通知を表示部１２に表示するように書籍提示部４５に対して指示する。書籍提示部４５は、上記通知を表示部１２に表示する（Ｓ３１６）。書籍提示部４５は、例えば、「スクラップブックが更新されました」などと記載された吹き出しを表示してもよい。
【０２６５】
あるいは、通信端末装置１の編纂データ取得部４７は、情報供給サーバ３から上記スクラップブックを受信した場合には、スクラップブックを閲覧可能な表示形態で表示部１２に表示するように書籍提示部４５に対して指示する。書籍提示部４５は、上記スクラップブックを表示部１２に表示する（Ｓ３１６、例えば、図１１）。
【０２６６】
なお、Ｓ３１０において、Ｓ３０９で取得された電子書籍ＩＤのいずれも、書庫ＤＢから抽出されたレコードの電子書籍ＩＤと一致しない場合が想定される（Ｓ３１０においてＮＯ）。つまり、位置情報に基づいて抽出された材料が載っている雑誌は、いずれもユーザが未購入であるということも考えられる。この場合、選定材料送信部８２は、上記未購入の雑誌の購入を薦める販売促進の通知を含む最終結果応答メッセージを通信端末装置１に送信することが好ましい（Ｓ３１７）。販売促進の通知には、推奨する雑誌の、電子書籍ＩＤ、書籍タイトル、料金、ジャンル、目次、出版社、発行日などの属性情報が含まれていてもよい。
【０２６７】
以降の処理、すなわち、Ｓ３１８〜Ｓ３２２は、図１５に示すＳ２１９〜Ｓ２２３にそれぞれ対応する。
【０２６８】
≪実施形態４≫
実施形態１〜３では、情報取得支援システム１００は、本発明の情報取得支援機能を、複数のエンティティ（通信端末装置１、情報管理サーバ２および情報供給サーバ３のいずれか複数）に分散させて実現した。しかし、本発明の情報取得支援機能を、１つのエンティティ（通信端末装置１、情報管理サーバ２および情報供給サーバ３のいずれか１つ）によって実現することが可能である。
【０２６９】
本実施形態では、情報取得支援システム１００の通信端末装置１が、本発明の情報取得支援装置として機能する実施形態を説明する。
【０２７０】
〔情報取得支援装置の構成〕
図１９は、本発明の情報取得支援装置、すなわち、通信端末装置１の要部構成を示すブロック図である。
【０２７１】
図１９に示す情報取得支援装置において、実施形態１（図１）の情報取得支援装置と異なる主な点は、通信端末装置１の制御部１０が、材料要求部４１および抽出結果取得部４２を備える代わりに、機能ブロックとして、材料抽出部４８を備えている点である。
【０２７２】
情報管理サーバ２は、材料抽出部６１を備えている必要はなく、登録情報ＤＢ記憶部７０を備えていればよい。この登録情報ＤＢ記憶部７０は、通信端末装置１がアクセス可能な状態で情報管理サーバ２に設けられている。なお、図１９に示す例では、登録情報ＤＢ記憶部７０は、情報管理サーバ２に設けられているが、これに限定されず、通信端末装置１がアクセス可能な状態であれば、どこにどのように設けられていても構わない。
【０２７３】
通信端末装置１の材料抽出部４８は、登録情報ＤＢ記憶部７０に記憶された登録情報ＤＢを参照し、位置情報取得部４０によって取得された位置情報に基づいて、その場所に関連する材料（雑誌のページ）を抽出するものである。
【０２７４】
本実施形態では、材料選定部４３は、書庫ＤＢ記憶部５１に記憶されている書庫ＤＢを参照して、材料抽出部４８によって抽出された材料のうち、ユーザが閲覧可能な材料を、スクラップブックの材料として選定する。
【０２７５】
≪実施形態５≫
本実施形態では、情報取得支援システム１００の情報管理サーバ２が、本発明の情報取得支援装置として機能する実施形態を説明する。
【０２７６】
〔情報取得支援装置の構成〕
図２０は、本発明の情報取得支援装置、すなわち、情報管理サーバ２の要部構成を示すブロック図である。
【０２７７】
図２０に示す情報取得支援装置において、実施形態２（図１３）の情報取得支援装置と異なる主な点は、情報供給サーバ３の制御部３０が、材料選定部８１および選定材料送信部８２を備える代わりに、情報管理サーバ２の制御部２０が、機能ブロックとして、材料選定部６３および選定材料送信部６４を備えている点である。
【０２７８】
本実施形態では、情報管理サーバ２は、抽出結果通知部６２を備えている必要はない。
【０２７９】
本実施形態では、情報供給サーバ３は、抽出結果取得部８０、材料選定部８１および選定材料送信部８２を備えている必要はない。情報供給サーバ３は、書庫ＤＢ記憶部９０および電子書籍ＤＢ記憶部９１を備えていればよい。書庫ＤＢ記憶部９０および電子書籍ＤＢ記憶部９１は、情報管理サーバ２がアクセス可能な状態で情報供給サーバ３に設けられている。なお、図２０に示す例では、書庫ＤＢ記憶部９０および電子書籍ＤＢ記憶部９１は、情報供給サーバ３に設けられているが、これに限定されず、情報管理サーバ２がアクセス可能な状態であれば、どこにどのように設けられていても構わない。
【０２８０】
情報管理サーバ２の材料選定部６３は、スクラップブックの材料を選定するものである。本実施形態では、材料選定部６３は、書庫ＤＢ記憶部９０に記憶されている書庫ＤＢから、位置情報取得部６０によって取得されたユーザＩＤが対応付けられている書庫ＤＢのレコードを参照する。そして、材料選定部６３は、材料抽出部６１によって抽出された材料のうち、上記ユーザＩＤのユーザが閲覧可能な材料を、当該ユーザのスクラップブックの材料として選定する。
【０２８１】
情報管理サーバ２の選定材料送信部６４は、材料選定部６３によってスクラップブックの材料（ページ）が１以上選定された場合には、上記ユーザＩＤに対応する通信端末装置１宛てに、選定された材料（雑誌のページ）の情報、すなわち、電子書籍ＩＤおよびページ番号を通知する。具体的には、選定材料送信部６４は、材料抽出部６１によって抽出され、さらに、材料選定部６３によって選定された材料の電子書籍ＩＤおよびページ番号を含む最終結果応答メッセージを生成し、通信端末装置１に送信する。最終結果応答メッセージのデータ構造は、図８に示す抽出結果応答メッセージのデータ構造と同様である。
【０２８２】
通信端末装置１のデータ編纂部４４は、上記最終結果応答メッセージに含まれている、電子書籍ＩＤおよびページ番号に基づいてスクラップブックを編纂することができる。
【０２８３】
なお、材料選定部６３が、材料抽出部６１によって抽出されたページが含まれている雑誌が、上記ユーザについてすべて未購入であると判断することが想定される。この場合、選定材料送信部６４は、電子書籍ＩＤおよびページ番号を含む最終結果応答メッセージの代わりに、スクラップブックに追加できる材料がない旨を知らせる通知を含む最終結果応答メッセージを通信端末装置１に送信することが好ましい。さらに、選定材料送信部６４は、上記の未購入の雑誌を推奨する販売促進の通知を上記最終結果応答メッセージに含めることが好ましい。選定材料送信部６４が、販売促進の通知を含む最終結果応答メッセージを通信端末装置１に送信した場合には、選定材料送信部６４は、推奨した雑誌の電子書籍ＩＤと、ユーザにその雑誌を購入するよう推奨したことを示すフラグ（「お薦め中」のフラグ）とを関連付けて、書庫ＤＢ記憶部９０に記憶されている、上記ユーザの書庫ＤＢ（図１４）に追加する。販売促進の通知を含む最終結果応答メッセージは、通信端末装置１の購入処理部４６によって受信される。
【０２８４】
≪実施形態６≫
本実施形態では、情報取得支援システム１００の情報供給サーバ３が、本発明の情報取得支援装置として機能する実施形態を説明する。
【０２８５】
〔情報取得支援装置の構成〕
図２１は、本発明の情報取得支援装置、すなわち、情報供給サーバ３の要部構成を示すブロック図である。
【０２８６】
図２１に示す情報取得支援装置において、実施形態３（図１６）の情報取得支援装置と異なる主な点は、情報管理サーバ２の制御部２０が、位置情報取得部６０および材料抽出部６１を備える代わりに、情報供給サーバ３の制御部３０が、機能ブロックとして、位置情報取得部８６および材料抽出部８７を備えている点である。
【０２８７】
本実施形態では、情報管理サーバ２は、位置情報取得部６０、材料抽出部６１および抽出結果通知部６２を備えている必要はない。情報管理サーバ２は、登録情報ＤＢ記憶部７０を備えていればよい。この登録情報ＤＢ記憶部７０は、情報供給サーバ３がアクセス可能な状態で情報管理サーバ２に設けられている。なお、図２１に示す例では、登録情報ＤＢ記憶部７０は、情報管理サーバ２に設けられているが、これに限定されず、情報供給サーバ３がアクセス可能な状態であれば、どこにどのように設けられていても構わない。
【０２８８】
本実施形態では、情報供給サーバ３は、抽出結果取得部８０を備えている必要はない。
【０２８９】
本実施形態では、通信端末装置１の材料要求部４１は、位置情報およびユーザＩＤを含む材料要求メッセージを、情報供給サーバ３に対して送信する。
【０２９０】
情報供給サーバ３の位置情報取得部８６は、通信端末装置１によって送信された材料要求メッセージを解析し、材料要求メッセージに含まれる各種情報、特に、位置情報およびユーザＩＤを取得するものである。
【０２９１】
情報供給サーバ３の材料抽出部８７は、情報管理サーバ２の登録情報ＤＢ記憶部７０に記憶された登録情報ＤＢを参照する。そして、材料抽出部８７は、位置情報取得部８６によって取得された位置情報に基づいて、その場所に関連する材料（雑誌のページ）を抽出するものである。
【０２９２】
本実施形態では、材料選定部８１は、書庫ＤＢ記憶部９０に記憶されている、位置情報取得部８６によって取得されたユーザＩＤに対応するユーザの書庫ＤＢを参照する。そして、材料選定部８１は、材料抽出部８７によって抽出された材料のうち、上記ユーザが閲覧可能な（購入済みの）材料を、当該ユーザのスクラップブックの材料として選定する。
【０２９３】
本実施形態では、データ編纂部８４は、材料抽出部８７によって抽出された材料のうち、材料選定部８１によってさらに選定されて残った材料（雑誌のページ）に基づいて、上記ユーザのスクラップブックを生成、更新する。
【０２９４】
本実施形態では、必須ではないが、選定材料送信部８２を備えていることが好ましい。本実施形態では、材料選定部８１が、材料抽出部８７によって抽出された材料の電子書籍ＩＤのいずれもが、上記ユーザの書庫ＤＢの電子書籍ＩＤと一致しないと判断する場合が想定される。つまり、位置情報に基づいて材料抽出部８７が抽出した材料が載っている雑誌は、いずれもユーザが未購入であるということが考えられる。この場合、選定材料送信部８２は、上記未購入の雑誌の購入を薦める販売促進の通知を含む最終結果応答メッセージを通信端末装置１に送信することが好ましい。販売促進の通知には、推奨する雑誌の、電子書籍ＩＤ、書籍タイトル、料金、ジャンル、目次、出版社、発行日などの属性情報が含まれていてもよい。販売促進の通知を含む最終結果応答メッセージは、通信端末装置１の購入処理部４６によって受信される。
【０２９５】
≪変形例１≫
上述の各実施形態では、図１０および図１７に示すとおり、スクラップブックの各ページは、スクラップブックページ番号をキーとして、元の電子書籍ＩＤおよびページ番号が割り当てられて管理されている構成であった。
【０２９６】
しかし、本発明の情報取得支援装置は、スクラップブックの各ページに属性情報を関連付けて管理することができる。これにより、データ編纂部４４（８４）は、材料の各ページにスクラップブックページ番号を割り当てる順番を属性情報に基づいて決定することができる。すなわち、スクラップブックの各ページを、属性情報に基づいて並べ替えることが可能である。
【０２９７】
例えば、実施形態１において、材料抽出部６１は、位置情報取得部６０によって取得された位置情報に対応する材料の情報として、電子書籍ＩＤおよびページ番号を、登録情報ＤＢ記憶部７０から抽出すると説明した。
【０２９８】
登録情報ＤＢ記憶部７０に記憶されている登録情報ＤＢは、図７に示すとおり、材料ごとに、様々な属性情報を関連付けて格納している。具体的には、例えば、材料（雑誌のページ）に対し、当該ページを登録した登録主の情報として、「施設ＩＤ（施設識別情報）」および「施設名（施設識別情報）」が対応付けられている。そこで、材料抽出部６１（４８、８７）は、電子書籍ＩＤおよびページ番号に加えて、それを登録した施設の情報である施設ＩＤおよび／または施設名を併せて登録情報ＤＢから抽出してもよい。
【０２９９】
上記構成によれば、材料抽出部６１（４８、８７）の下流の工程において、各々の材料は、常に、施設ＩＤの属性情報が付加された状態で取り扱われる。つまり、材料選定部４３（６３、８１）によって選定された材料のレコードは、図８に示す、電子書籍ＩＤ、ページ番号、位置情報に加えて、施設ＩＤ（施設名）の情報を含む。したがって、さらに下流の工程において、データ編纂部４４（８４）は、図１０（図１７）に示す情報に加えて、施設ＩＤ（施設名）の属性情報を、材料（ページ）ごとにスクラップブック記憶部５２（９２）に登録することができる。
【０３００】
これにより、データ編纂部４４（８４）は、選定された各ページに、スクラップブックページ番号を割り当てるとき、各ページの施設ＩＤに基づいてスクラップブックページ番号を割り当てることができる。つまり、データ編纂部４４（８４）は、スクラップブックの各ページを、関連施設ごとに並べ替えることができる。スクラップブックの最初の数ページが店Ａ（施設）に関連するページ、次の数ページが店Ｂ（施設）に関連するページ、・・・というように、施設ごとにページを編纂すれば、ユーザにとって読みやすいスクラップブックを提供することが可能となる。
【０３０１】
あるいは、材料選定部４３（６３、８１）およびデータ編纂部４４（８４）は、各材料に関連付けられた位置情報（例えば、経度緯度情報）を、各材料の属性情報として利用してもよい。
【０３０２】
図８に示す各材料のレコードは、位置情報を含んでいる。したがって、図８に示す材料のレコードを材料選定部４３（６３、８１）およびデータ編纂部４４（８４）が処理すれば、データ編纂部４４（８４）は、電子書籍ＩＤ、ページ番号に加えて、位置情報（緯度経度情報）を含む材料のレコードをスクラップブック記憶部５２（９２）に登録することができる。
【０３０３】
これにより、データ編纂部４４（８４）は、選定された各ページに、スクラップブックページ番号を割り当てるとき、各ページの位置情報に基づいてスクラップブックページ番号を割り当てることができる。つまり、データ編纂部４４（８４）は、スクラップブックの各ページを、ユーザの位置情報にしたがって並べ替えることができる。
【０３０４】
さらに、「基準の緯度経度情報から半径○ｋｍ以内を＊＊駅周辺エリアと定義する」というように、位置情報に基づいていくつかのエリアを定義しておけば、データ編纂部４４（８４）は、スクラップブックの各ページをエリアごとに並べ替えることができる。スクラップブックにおいて、＊＊駅周辺エリアに関連するページがまとまっていれば、ユーザにとって読みやすいスクラップブックとなる。
【０３０５】
あるいは、データ編纂部４４（８４）は、各ページに時間情報（時刻）を関連付けて、各ページをスクラップブック記憶部５２（９２）に登録してもよい。
【０３０６】
上記構成によれば、データ編纂部４４（８４）は、選定された各ページに、スクラップブックページ番号を割り当てるとき、各ページの時間情報に基づいてスクラップブックページ番号を割り当てることができる。つまり、データ編纂部４４（８４）は、スクラップブックの各ページを、時系列に並べ替えることができる。例えば、ユーザは、ある日、店Ａ、店Ｂ、サイネージ４、店Ｄ、店Ｃの順に訪問したとする。この場合、データ編纂部４４（８４）は、ユーザの訪問時刻に基づいて、店Ａが登録したページ、店Ｂが登録したページ、サイネージ４の管理者が登録したページ、店Ｄが登録したページ、店Ｃが登録したページ、・・・の順に、スクラップブックページ番号を割り当てることができる。スクラップブックのページの順序と、ユーザが訪問した順序とが対応しているので、ユーザは、この日の訪問先を順に振り返りながらスクラップブックの内容を確認することができる。
【０３０７】
スクラップ対象の各ページに時間情報を関連付ける方法は特に限定されない。例えば、材料要求部４１が、図６の（ｂ）に示すとおり、位置情報に時間情報を紐付けて材料要求メッセージを作成すればよい。これにより、下流の各工程では、常に、各材料は、位置情報と時間情報とが関連付けられた状態で取り扱われる。
【０３０８】
あるいは、通信端末装置１の行動ログ記憶部５０において、位置情報と時間情報とが１対１で関連付けられている場合、各材料に位置情報が関連付けられていれば、その位置情報と、行動ログとに基づいて、各材料に時間情報を紐付けることができる。
【０３０９】
図２２は、スクラップブック記憶部５２（９２）に記憶されているスクラップブックの他の例についてのデータ構造および具体例を示す図である。なお、スクラップブックが情報供給サーバ３のスクラップブック記憶部９２に記憶されている場合には、スクラップブックは、さらに、ユーザＩＤごとに設けられる。
【０３１０】
図２２に示すスクラップブックは、図１０および図１７と異なり、ページごとに、施設ＩＤ、位置情報、および、時間情報の各属性情報を保持している。
【０３１１】
スクラップブックが、図２２に示すデータ構造を有していれば、データ編纂部４４（８４）は、スクラップ材料の各ページについて、そのページを登録した施設の施設ＩＤ、そのページがスクラップされるきっかけとなったユーザの位置情報、および、その位置情報が取得された（ユーザその場所に居た）時間情報を、スクラップブック記憶部５２（９２）からすぐに読み出すことができる。
【０３１２】
よって、データ編纂部４４（８４）は、スクラップブック内の各ページを、施設ＩＤ、時間情報（時刻）、位置情報（緯度経度情報）に基づいて、容易に並べ替えることが可能となる。
【０３１３】
図２３は、書籍提示部４５によって表示部１２に表示されたスクラップブック操作画面の一具体例を示す図である。
【０３１４】
図２３に示すとおり、書籍提示部４５は、スクラップブックの編集（ページの並べ替えおよび削除）について、操作画面を介して、ユーザが簡単な操作で行えるようになっていることが好ましい。
【０３１５】
書籍提示部４５は、並べ替えの基準を、場所、時間、および、施設の中から選択できるようにＧＵＩ部品を表示する。例えば、場所が選択された場合、データ編纂部４４（８４）は、スクラップブック記憶部５２（９２）に記憶されている各ページを、時間情報に基づいてソートし、スクラップブックページ番号を割り当てなおす。その後でも、ユーザは、別の基準（時間、施設）に簡単な操作で切り替えることができ、スクラップブックのページの並びを容易な操作ですぐに変えることができる。
【０３１６】
また、プレビューされている各ページのサムネイルをタップ操作（シングルまたはダブルタップ）によって、不要なページをスクラップブックから削除することができてもよい。操作部１１が、タップ操作を受け付けると、データ編纂部４４（８４）は、タップ操作によって選択されたページに対するスクラップブックページ番号の割り当てを解除する。書籍提示部４５は、スクラップブックに登録されているが、スクラップブックページ番号が割り当てられていないレコードがあればそれに対応するページに削除されたことを示すアイコン（図２３の×印など）を表示してもよい。
【０３１７】
≪変形例２≫
〔より詳細な行動ログについて〕
さらに、通信端末装置１は、近距離無線通信部１５を備えていてもよい。近距離無線通信部１５は、施設（図２の店舗、および、街頭のサイネージ４など）に設けられた、ＰＯＳ端末、非接触ＩＣタグなどの近距離無線通信機器と通信を行う。そして、近距離無線通信部１５は、上記施設に設置された近距離無線通信機器から、当該施設に到着したことを示す到着時施設ＩＤ（施設識別情報）を取得してもよい。あるいは、その施設を出発したことを示す出発時施設ＩＤ（施設識別情報）を取得してもよい。到着時施設ＩＤおよび出発時施設ＩＤは、緯度経度情報よりもより詳細な位置情報として利用することができる。すなわち、本変形例２では、近距離無線通信部１５は、測位部１４と同様に、通信端末装置１の位置を検出するための位置検出部として機能する。
【０３１８】
位置情報取得部４０は、上記到着時施設ＩＤまたは出発時施設ＩＤを位置情報として取得してもよい。さらに、位置情報取得部４０は、上記到着時施設ＩＤまたは出発時施設ＩＤを取得した時刻、すなわち、到着時刻または出発時刻を、時間情報として取得してもよい。位置情報取得部４０は、到着（出発）時施設ＩＤと到着（出発）時刻とを紐付けて、緯度経度情報よりもより詳細な行動ログとして、行動ログ記憶部５０に記憶する。
【０３１９】
図２４は、行動ログ記憶部５０に記憶されている行動ログの他の例についてのデータ構造および具体例を示す図である。
【０３２０】
図２５は、スクラップブック記憶部５２（９２）に記憶されているスクラップブックの、他の例についてのデータ構造および具体例を示す図である。
【０３２１】
通信端末装置１の位置情報取得部４０は、近距離無線通信部１５が、各施設の装置と近距離無線通信を行って、到着／出発時施設ＩＤを取得すると、図２４に示すとおり、これを、行動ログ記憶部５０に記憶する。
【０３２２】
位置情報取得部４０は、測位部１４の測位データに基づいて取得した緯度経度情報に加えて、あるいは、これに代えて、到着／出発時施設ＩＤを取得することができる。
【０３２３】
図２４に示す例では、到着時施設ＩＤは、一例として、施設ＩＤ（例えば、ＳＨ０００１）と、その施設に到着したこと示す識別子（ＩＮ）との組み合わせによって構成されている。「ＩＮ＿ＳＨ０００１」は、ユーザが店Ａに到着したことを示している。出発時施設ＩＤは、一例として、施設ＩＤ（例えば、ＳＨ０００１）と、その施設を出発したこと示す識別子（ＯＵＴ）との組み合わせによって構成されている。「ＯＵＴ＿ＳＨ０００１」は、ユーザが店Ａを出発したことを示している。
【０３２４】
位置情報取得部４０が、緯度経度情報に代えて、到着／出発時施設ＩＤを取得する場合には、それより下流の各工程では、到着／出発時施設ＩＤを位置情報として扱うことができる。例えば、材料抽出部６１（４８、８７）は、登録情報ＤＢ記憶部７０を参照し、到着／出発時施設ＩＤに含まれている施設ＩＤ（すなわち、位置情報）に基づいて、登録されている、電子書籍ＩＤおよびページ番号を抽出することができる。そして、材料選定部４３（６３、８１）は、到着／出発時施設ＩＤおよび到着／出発時刻が関連付けられた各材料（電子書籍ＩＤおよびページ番号）を選定することができる。そして、データ編纂部４４（８４）は、図２５に示すとおり、各材料の電子書籍ＩＤおよびページ番号に対し、到着／出発時施設ＩＤ（位置情報）、到着／出発時刻（時間情報）、および、施設ＩＤを関連付けて、スクラップブック記憶部５２（９２）に格納することができる。
【０３２５】
あるいは、位置情報取得部４０は、緯度経度に加えて、到着／出発時施設ＩＤを取得してもよい。この場合、位置情報取得部４０は、図２４に示すとおり、近距離無線通信部１５から取得した位置情報（到着／出発時施設ＩＤ）に対して、滞在時間のいずれかの時点に測位部１４から取得された位置情報（緯度経度情報）を関連付けて、行動ログ記憶部５０に格納する。
【０３２６】
これにより、施設ＩＤおよび緯度経度情報が関連付けられた材料（電子書籍ＩＤおよびページ番号）が、材料選定部４３（６３、８１）によって選定される。そして、その選定された材料に対して、データ編纂部４４（８４）は、到着／出発時施設ＩＤを関連付けることができる。データ編纂部４４（８４）は、行動ログ記憶部５０を参照し、緯度経度情報と到着／出発時施設ＩＤとの対応関係を把握できるからである。
【０３２７】
さらに、データ編纂部４４（８４）は、図２５に示すとおり、到着／出発時刻に基づいて、その施設でのユーザの滞在時間を属性情報として各材料（スクラップブックの各ページ）に付け加えてもよい。これにより、データ編纂部４４（８４）は、滞在時間（＝ユーザの関心度）に応じて、各ページを並べ替えることが可能となる。
【０３２８】
〔同じ施設を複数回訪問する場合の行動ログについて〕
ユーザは、短い期間（例えば、１日の間）に、同じ施設に複数回訪れることが想定される。このような状況に対応して、行動ログおよびスクラップブックの属性情報を以下のように管理することによって、ユーザの行動をより一層反映したスクラップブックを編纂することができる。
【０３２９】
図２６は、スクラップブック記憶部５２（９２）に記憶されているスクラップブックの、さらに他の例についてのデータ構造および具体例を示す図である。
【０３３０】
具体的には、図２６に示すスクラップブックは、図２５に示すスクラップブックと比較して以下の点が異なる。図２５に示す例では、ユーザが同じ施設を複数回訪問すると、訪問の度に、当該施設に関連する同じページがスクラップブックにスクラップされる。しかし、図２６に示す例では、データ編纂部４４（８４）は、同じ施設によって登録された同じ材料のレコードが重複して存在する場合に、これらを正規化して１つのレコードにまとめて重複を排除する。まとめる前の重複するレコードの数が訪問回数を示しているので、さらに、データ編纂部４４（８４）は、まとめたレコードに対して訪問回数の属性情報を関連付けて格納する。さらに、それぞれの訪問時の滞在時間を合計して、滞在時間合計の属性情報をまとめた後のレコードに関連付けて格納する。
【０３３１】
具体的には、データ編纂部４４（８４）は、図２５に示す、スクラップブックページ番号P.01のレコードと、P.06のレコードとが重複しているので、これらを、図２６に示す、スクラップブックページ番号P.01のレコードにまとめる。図２６のP.01のレコードにおける滞在時間合計は、図２５のP.01のレコードの滞在時間と、P.06のレコードの滞在時間との合計によって求められる。図２６のP.01のレコードにおける訪問回数は、このレコードにまとめられる前の元のレコードの個数（つまり、図２５のP.01のレコードと、P.06のレコードとの計２個）に基づいて求められる。
【０３３２】
さらに、図２６に示すとおり、データ編纂部４４（８４）は、同じ施設を複数回訪問した場合の、最初の訪問時の初回到着時刻（例えば、図２５の2012/1/20 13:09:05）、および／または、最後の訪問時の最終出発時刻（例えば、図２５の2012/1/20 19:05:30）を時間情報として各レコードに持たせてもよい。
【０３３３】
上記構成によれば、図２５のスクラップブックと比較して、スクラップブックに同じページを重複してスクラップすることがなくなり、より一層整理されたスクラップブックをユーザに提供することが可能となる。
【０３３４】
その上、データ編纂部４４（８４）は、初回到着時刻、最終出発時刻、滞在時間合計、訪問回数などに基づいて、スクラップページを並べ替えることができ、ユーザの行動をより一層反映したスクラップブックを編纂することができる。
【０３３５】
≪変形例３≫
上述の各実施形態では、材料を収集するトリガが発生した時点で、材料抽出部６１（４８、８７）が、ユーザの位置に関連する材料を抽出し、さらに、材料選定部４３（６３、８１）は、上記の時点でユーザが購入済みの雑誌の材料を選定するという構成であった。
【０３３６】
しかしながら、ユーザが未購入であるために上記の時点ではふるい落された材料も、後にユーザが新たな雑誌を購入することによって、選定の対象になるという状況が想定される。そこで、本発明の、特に実施形態２、３、５、６に記載の情報取得支援装置は、過去に材料選定部４３（６３、８１）がふるい落とした材料が、ユーザが新たに購入した雑誌に含まれているページであれば、それを遡ってスクラップブックに追加することができることが好ましい。
【０３３７】
図２７は、実施形態２（図１３）における情報取得支援装置（通信端末装置１、情報管理サーバ２および情報供給サーバ３）によって実行される、他の情報取得支援処理の流れを示すフローチャートである。
【０３３８】
例えば、ユーザが購入ボタンを操作して新しい雑誌（以下、新規の雑誌）を購入したり、定期購読している雑誌の最新刊（以下、新規の雑誌）が発行されたりすると、実施形態２と同様に、通信端末装置１の購入処理部４６と、情報供給サーバ３の販売処理部８３との間で雑誌の購入および販売（決済）の処理が実行される（Ｓ４０１、Ｓ４０２）。そして、販売処理部８３は、書庫ＤＢ記憶部９０を参照し、通信端末装置１のユーザの書庫ＤＢに、新たに購入された雑誌のレコード（電子書籍ＩＤと購入日）を登録する。あるいは、すでに、レコードが登録されている場合には、「お薦め中」のフラグを、購入された日付に書き換える（Ｓ４０３）。また、通信端末装置１の購入処理部４６は、新規の雑誌についての情報をローカルの書庫ＤＢ記憶部５１に登録してもよい。
【０３３９】
書庫ＤＢ記憶部５１に新規の雑誌の情報が登録されると、材料要求部４１は、スクラップブック記憶部５２（図２２、図２５、または、図２６）を参照し、現在のスクラップブックの各ページに対応付けられている施設ＩＤを取得する（Ｓ４０４）。材料要求部４１は、通信端末装置１のユーザのユーザＩＤと、Ｓ４０４で取得した施設ＩＤとを含む材料要求メッセージを情報管理サーバ２に送信する（Ｓ４０５）。この材料要求メッセージは、過去のユーザの行動範囲に遡って、現時点で新たにスクラップブックに加えることができるページがないかを情報管理サーバ２および情報供給サーバ３に問い合わせるものである。
【０３４０】
情報管理サーバ２の位置情報取得部６０は、上記材料要求メッセージを解析する。位置情報取得部６０は、ここでは、位置情報が含まれていないので、位置情報の代わりに施設ＩＤを取得する（Ｓ４０６）。
【０３４１】
材料抽出部６１は、登録情報ＤＢ記憶部７０を参照し、登録情報ＤＢから、Ｓ４０６にて取得された施設ＩＤと一致する材料を検索する。取得された施設ＩＤと一致する材料が登録情報ＤＢに登録されていれば（Ｓ４０７においてＹＥＳ）、材料抽出部６１は、その雑誌のページを特定するための電子書籍ＩＤおよびページ番号を抽出する（Ｓ４０８）。材料抽出部６１は、１つの施設ＩＤに対して、対応するページが複数あれば、複数抽出することができる。材料抽出部６１は、取得された施設ＩＤが複数あれば、施設ＩＤごとに対応する材料（ページ）を抽出する。
【０３４２】
情報管理サーバ２の抽出結果通知部６２は、材料抽出部６１によって抽出された１または複数のページの電子書籍ＩＤおよびページ番号、ならびに、上記材料要求メッセージに含まれているユーザＩＤを含む抽出結果応答メッセージを生成し、情報供給サーバ３に送信する（Ｓ４０９）。抽出結果通知部６２は、上記材料要求メッセージに施設ＩＤが複数含まれていた場合には、その施設ＩＤごとに抽出された各ページの電子書籍ＩＤおよびページ番号を抽出結果応答メッセージに含める。
【０３４３】
一方、取得された施設ＩＤと一致する材料が検出されなかった場合には（Ｓ４０７においてＮＯ）、上記材料要求メッセージに対して応答すべき材料は存在せず、上記材料要求メッセージに基づくトランザクションは終了する。情報管理サーバ２は、次の材料要求メッセージの受信に備える。この場合（Ｓ４０７においてＮＯ）、抽出結果通知部６２は、材料が抽出されなかった旨の通知を、上記材料要求メッセージに対する応答として返してもよい。
【０３４４】
続いて、情報供給サーバ３の抽出結果取得部８０は、上記抽出結果応答メッセージを受信すると、それに含まれる、抽出されたページの電子書籍ＩＤおよびページ番号、ならびに、ユーザＩＤを取得する（Ｓ４１０）。
【０３４５】
材料選定部８１は、書庫ＤＢ記憶部９０に記憶されている書庫ＤＢを参照し、上記ユーザＩＤに関連付けられたレコードであって、購入日が記録されているレコードを抽出する。ここでは、材料選定部８１は、特に、Ｓ４０３によって更新されたばかりのレコードだけを抽出することが効率化の観点では好ましい。そして、Ｓ４１０にて取得されたページの電子書籍ＩＤが、書庫ＤＢから抽出したレコードの電子書籍ＩＤのいずれかに一致するかどうかを判断する（Ｓ４１１）。すなわち、Ｓ４１０にて取得されたページの電子書籍が、ユーザＩＤに対応するユーザによって、Ｓ４０１にて新規に購入されたか否かを判断する。
【０３４６】
ここで、取得された電子書籍ＩＤが、書庫ＤＢから抽出された新規購入レコードの電子書籍ＩＤのいずれとも一致しない場合には（Ｓ４１１においてＮＯ）、材料選定部８１は、そのページを、上記ユーザのスクラップブックに追加する材料として選定しない。
【０３４７】
ここで、取得された電子書籍ＩＤが、書庫ＤＢから抽出された新規購入レコードの電子書籍ＩＤのいずれかと一致する場合には（Ｓ４１１においてＹＥＳ）、その電子書籍ＩＤおよびページ番号によって特定されるページをスクラップブックの材料として改めて選定する（Ｓ４１２）。なお、材料選定部８１は、上記抽出結果応答メッセージに複数の電子書籍ＩＤおよびページ番号のセットが含まれている場合には、そのセットごとにＳ４１１の判定を行う。
【０３４８】
Ｓ４１２に続いて、選定材料送信部８２は、材料選定部８１によって選定しなおされた１または複数のページの電子書籍ＩＤおよびページ番号を含む追加応答メッセージを生成し、通信端末装置１に送信する（Ｓ４１３）。Ｓ４０５にて、施設ＩＤが複数送信された場合には、選定材料送信部８２は、施設ＩＤごとに選定された電子書籍ＩＤおよびページ番号を追加応答メッセージに含める。
【０３４９】
続いて、通信端末装置１のデータ編纂部４４は、上記追加応答メッセージを受信すると、それに含まれる、スクラップブックに追加するべく改めて選定されたページの電子書籍ＩＤおよびページ番号を取得する（Ｓ４１４）。
【０３５０】
データ編纂部４４は、取得したページの電子書籍ＩＤおよびページ番号に基づいて、当該電子書籍ＩＤおよびページ番号が特定するページのページデータを書庫ＤＢ記憶部５１から取得する（Ｓ４１５）。なお、ページ本体（ページデータ）がローカルに保存されていない場合には、データ編纂部４４は、そのページデータが保存されている装置または記録媒体にアクセスして、上記ページデータを取得する。そして、データ編纂部４４は、取得したページデータをスクラップブックに追加する（Ｓ４１６）。
【０３５１】
以降の処理は、図１５のＳ２１６以降に示されているとおりである。
【０３５２】
なお、実施形態５（図２０）の情報取得支援装置が、図２７に示す情報取得支援処理を実現する場合には、Ｓ４０９およびＳ４１０は実行されない。そして、Ｓ４１１およびＳ４１２が、情報管理サーバ２の材料選定部６３によって実行され、Ｓ４１３が、情報管理サーバ２の選定材料送信部６４によって実行される。それ以外の各処理は、図２７に示すとおりに実行される。
【０３５３】
あるいは、実施形態３（図１６）の情報取得支援装置が、図２７に示す情報取得支援処理を実現する場合には、情報供給サーバ３は、Ｓ４１１においてＹＥＳの場合、Ｓ４１２以降を実行する代わりに、図１８に示すＳ３１１以降を実行する。
【０３５４】
あるいは、実施形態６（図２１）の情報取得支援装置が、図２７に示す情報取得支援処理を実現する場合には、Ｓ４０５において、通信端末装置１の材料要求部４１は、上記材料要求メッセージを情報供給サーバ３に送信する。そして、Ｓ４０６が、情報供給サーバ３の位置情報取得部８６によって実行され、Ｓ４０７およびＳ４０８が、情報供給サーバ３の材料抽出部８７によって実行される。Ｓ４０９およびＳ４１０は実行されない。そして、Ｓ４１１が材料選定部８１によって実行された後、Ｓ４１１においてＹＥＳの場合、情報供給サーバ３は、Ｓ４１２以降を実行する代わりに、図１８に示すＳ３１１以降を実行する。
【０３５５】
なお、本変形例は、実施形態１および実施形態４の情報取得支援装置にも適用することができる。例えば、通信端末装置１の書庫ＤＢ記憶部５１に新規の雑誌が追加された場合に、材料要求部４１は、スクラップブックの施設ＩＤをクエリとして、再度、情報管理サーバ２に対して追加でスクラップすべき材料の問合せを行う（図１）。あるいは、新規の雑誌が追加された場合に、材料抽出部４８が、スクラップブックの施設ＩＤに基づいて、登録情報ＤＢ記憶部７０から、追加でスクラップすべき材料がないかどうか検索する（図１９）。
【０３５６】
あるいは、情報取得支援装置は、施設ＩＤの代わりに、行動ログ記憶部５０から過去のユーザの位置情報を取得し、取得した位置情報と、新規の雑誌の電子書籍ＩＤとに基づいて、過去に遡って材料を抽出する構成であってもよい。
【０３５７】
この場合、材料抽出部６１（４８、８７）は、上記位置情報と、上記新規の雑誌の電子書籍ＩＤとに基づいて、登録情報ＤＢから、追加でスクラップすべきページがあればそれを抽出することができる。ここで抽出された各材料は、既にスクラップすべき材料である（新規購入済みである）ことが判明しているので、これらの各材料は、材料選定部４３（６３、８１）による処理にかける必要がない。
【０３５８】
材料抽出部６１（４８、８７）によって抽出された各材料は、データ編纂部４４（８４）によってスクラップブックに追加される。
【０３５９】
なお、新規の雑誌が追加された場合に、新規の雑誌の各ページを、過去の行動場所との関連に基づいてスクラップするという変形例３の機能は、通信端末装置１のユーザが希望する場合にのみ、通信端末装置１にて有効に設定できる仕様にすることが好ましい。
【０３６０】
≪その他の変形例≫
図７に示すとおり、登録情報ＤＢ記憶部７０に記憶されている登録情報ＤＢは、各施設が登録する各ページに対応付けて付加情報を保持するデータ構造であってもよい。付加情報は、そのページを登録した各施設が用意する情報であって、お買い得情報、クーポンなど、ユーザに対して訪問・購入を促すためのインセンティブとして活用される情報である。
【０３６１】
付加情報は、上述した、位置情報、時間情報、施設ＩＤなどと同様に属性情報として扱われる。したがって、データ編纂部４４（８４）は、図２２に示すとおり、スクラップブックの各ページ対して、上記付加情報を関連付けてスクラップブック記憶部５２（９２）に登録しておくことができる。付加情報は、これに限定されないが、例えば、割引クーポン、お買い得情報、景品応募券、これらの付加情報を取得するためのリンク情報、通販サイトへのアクセス情報などが付加情報に含まれる。
【０３６２】
書籍提示部４５は、付加情報が対応付けられたスクラップブックのページを表示するときには、図２８の（ａ）に示すとおり、そのページを表示するとともに、そのページに付加情報があることを示すアイコン５を表示する。ユーザがそのアイコン５をタップすると、書籍提示部４５は、図２８の（ｂ）に示すとおり、アイコン５に対応する付加情報（ここでは、割引クーポン）を表示部１２に表示する。
【０３６３】
付加情報が付加されたページがデータ編纂部４４（８４）によってスクラップされた場合には、書籍提示部４５は、ただちに、その旨をユーザに対して通知することが好ましい。付加情報には、割引券など、ユーザがその施設に居るその時に閲覧された方が有利な情報が含まれているからである。
【０３６４】
上述の各実施形態では、情報取得支援装置は、スクラップする材料を、電子書籍のページ単位で扱う構成であった。しかし、このような構成に限定されず、本発明の情報取得支援装置は、図２９に示すとおり、電子書籍のページをさらにいくつかの記事に分解し、その記事の一つ一つに記事ＩＤを付与して、各記事を識別できる構成であってもよい。この場合、データ編纂部４４（８４）は、材料の１つ１つを、電子書籍ＩＤ、ページ番号および記事ＩＤによって特定する。そして、データ編纂部４４（８４）は、各材料（記事）に対して、スクラップブックページ番号およびページ領域番号を割り当てる。ページ領域番号は、スクラップブックの１ページをいくつかの領域に区切り、その各々の領域を識別するための番号である。
【０３６５】
上述の各実施形態では、１つの通信端末装置１（１ユーザ）につき、１冊のスクラップブックが保持される構成であった。そして、各材料は、分類を問わず１冊のスクラップブックにスクラップされる構成であった。しかし、スクラップブックは、分類ごとに複数冊保持される構成であってもよい。そして、各材料は、分類に応じて、該当する分類のスクラップブックにスクラップされる構成であってもよい。
【０３６６】
例えば、各材料（ページまたは記事）には、図７に示すとおり、その内容に応じて分類の属性情報が付与される。そして、図３０に示すとおり、スクラップブック記憶部５２（９２）には、分類ごとに複数種類のスクラップブックが記憶される。
【０３６７】
データ編纂部４４（８４）は、スクラップ対象の材料に対応付けられている分類を参照し、対応する分類のスクラップブックに、上記材料を追加する。例えば、図７に示す、分類「婦人服」のページ「EB0001 P.30」をスクラップする場合、データ編纂部４４（８４）は、図３０に示す４冊のスクラップブックのうち、分類「婦人服」が対応付けられたスクラップブックＩＤが「SB0001」のスクラップブックに上記ページ「EB0001 P.30」を追加する。
【０３６８】
なお、スクラップ対象の材料に対応付けられている分類について、スクラップブック記憶部５２（９２）に記憶されているスクラップブックの分類に一致するものが無かった場合には、データ編纂部４４（８４）は、新規の分類に対応するスクラップブックを新規に作成してもよい。
【０３６９】
上述の各実施形態では、データ編纂部４４（８４）によって生成および更新される編纂データがスクラップブックである場合について説明した。しかし、データ編纂部４４（８４）は、編纂データとして、しおりリストを扱ってもよい。図３１は、スクラップブック記憶部５２（９２）に記憶されているしおりリストのデータ構造および具体例を示す図である。しおりリストには、複数のしおりが管理されており、１つのしおりは、１つの材料（ページであっても、記事であってもよい）に対応している。
【０３７０】
書籍提示部４５は、図３２の（ａ）に示すとおり、図３１のしおりリストに基づいて、各しおりをユーザが選択できるように表示部１２に表示する。
【０３７１】
ユーザが、所望のしおり（例えば、しおり１）を選択すると、書籍提示部４５は、図３２の（ｂ）に示すとおり、指定されたしおり１に対応する雑誌のページを読み出し、表示部１２に表示する。このとき、書籍提示部４５は、しおり１に対応するページには、しおり１のアイコンを表示することが好ましい。しおりリストが、スクラップブックと異なっている点は、元の雑誌と別にしてページの情報を有するデータ構造ではないという点である。
【０３７２】
上述の各実施形態（特に、実施形態２、３、５、６）では、材料選定部４３（６３、８１）が、スクラップする候補になっているページが、未購入の雑誌のページである場合、選定材料送信部６４（８２）が、その雑誌の購入を薦める構成であったが、本発明の情報取得支援装置はこれに限定されない。
【０３７３】
ユーザは、通信端末装置１を操作して、情報供給サーバ３に対して、自動で購入（ダウンロード）可能な上限金額を設定できる構成であってもよい。この場合、材料選定部４３（６３、８１）は、スクラップ候補のページが、未購入の雑誌のページであると判断した場合であっても、ただちにスクラップ対象からはずすことはしない。材料選定部４３（６３、８１）は、まず、ユーザによって設定された上限金額と、上記雑誌の料金とを比較し、雑誌の料金が上記上限金額以下であれば、そのページを、スクラップ対象として選定することができる。
【０３７４】
本発明の情報取得支援装置におけるデータ編纂部４４（８４）は、ユーザに購入された電子書籍の発行日、購入日、ユーザの閲覧回数などに基づいて、スクラップブックを編纂することができる。
【０３７５】
例えば、データ編纂部４４（８４）は、(i)発行日（または購入日）の古い雑誌のページをスクラップしない、(ii)発行日（または購入日）の新しい雑誌の順にページ番号を割り当てる、(iii)閲覧回数が少ない雑誌のページほど、前（または後）のページ番号を割り当てる、(iv)発行日（または購入日）が一定以上古くなったら、その雑誌のページをスクラップブックから削除する（雑誌本体からは削除されない）ことなどが考えられる。
【０３７６】
位置情報は、携帯電話基地局などから取得されるものであってもよい。
【０３７７】
上述の各実施形態において、情報取得支援システムを構成する、通信端末装置、情報管理サーバ、および、情報供給サーバの各種装置、ならびに、行動ログ記憶部、書庫ＤＢ記憶部、スクラップブック記憶部、登録情報ＤＢ記憶部、電子書籍ＤＢ記憶部などの各種記憶部は、クラウドコンピューティングによって実現されてもよい。
【０３７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０３７９】
〔ソフトウェアによる実現例〕
最後に、情報取得支援装置（通信端末装置１、情報管理サーバ２および情報供給サーバ３）の各ブロック、特に、位置情報取得部４０、材料要求部４１、抽出結果取得部４２、材料選定部４３、データ編纂部４４、書籍提示部４５、購入処理部４６、編纂データ取得部４７、材料抽出部４８、位置情報取得部６０、材料抽出部６１、抽出結果通知部６２、材料選定部６３、選定材料送信部６４、抽出結果取得部８０、材料選定部８１、選定材料送信部８２、販売処理部８３、データ編纂部８４、編纂データ供給部８５、位置情報取得部８６、および、材料抽出部８７は、ハードウェアロジックによって構成してもよいし、次のようにＣＰＵを用いてソフトウェアによって実現してもよい。
【０３８０】
すなわち、情報取得支援装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報取得支援装置の制御プログラムのプログラムコード（実行形式プログラム、中間コードプログラム、ソースプログラム）をコンピュータで読み取り可能に記録した記録媒体を、上記情報取得支援装置に供給し、そのコンピュータ（またはＣＰＵやＭＰＵ）が記録媒体に記録されているプログラムコードを読み出し実行することによっても、達成可能である。
【０３８１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３８２】
また、情報取得支援装置を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（High Data Rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０３８３】
本発明は、ネットワークを介してユーザがあらゆる情報を取得可能なネットワーク環境下で、ユーザの情報取得を支援する情報取得支援装置として好適に機能する。本発明の情報取得支援装置は、ユーザが携帯する通信端末装置に適用してもよいし、取得対象の情報（材料）を位置に基づいて管理する情報管理サーバに適用してもよいし、ユーザの通信端末装置に情報（材料）を供給する情報供給サーバに適用してもよい。また、本発明の情報取得支援装置を、上記通信端末装置、上記情報管理サーバ、および、上記情報供給サーバのうちの複数の装置によって実現してもよい。
【符号の説明】
【０３８４】
１  通信端末装置（情報取得支援装置）
２  情報管理サーバ（情報取得支援装置）
３  情報供給サーバ（情報取得支援装置）
４  サイネージ（施設）
５  アイコン
１０  制御部
１１  操作部
１２  表示部
１３  記憶部
１４  測位部（位置検出部）
１５  近距離無線通信部（位置検出部）
２０  制御部
２１  記憶部
３０  制御部
３１  記憶部
４０  位置情報取得部（位置情報取得手段）
４１  材料要求部（材料要求手段）
４２  抽出結果取得部（材料取得手段）
４３  材料選定部（材料選定手段）
４４  データ編纂部（データ編纂手段）
４５  書籍提示部（情報提示手段）
４６  購入処理部（購入処理手段）
４７  編纂データ取得部（編纂データ取得手段）
４８  材料抽出部（材料抽出手段）
５０  行動ログ記憶部
５１  書庫ＤＢ記憶部（コンテンツリスト記憶部）
５２  スクラップブック記憶部
６０  位置情報取得部（位置情報取得手段）
６１  材料抽出部（材料抽出手段）
６２  抽出結果通知部（抽出結果通知手段）
６３  材料選定部（材料選定手段）
６４  選定材料送信部（通知送信手段）
７０  登録情報ＤＢ記憶部（登録情報記憶部）
８０  抽出結果取得部（抽出結果取得手段）
８１  材料選定部（材料選定手段）
８２  選定材料送信部（通知送信手段）
８３  販売処理部（販売処理手段）
８４  データ編纂部（データ編纂手段）
８５  編纂データ供給部
８６  位置情報取得部（位置情報取得手段）
８７  材料抽出部（材料抽出手段）
９０  書庫ＤＢ記憶部（コンテンツリスト記憶部）
９１  電子書籍ＤＢ記憶部（コンテンツ記憶部）
９２  スクラップブック記憶部（編纂データ記憶部）
１００  情報取得支援システム
【図１】
2013178680.tif 000003
【図２】
2013178680.tif 000004
【図３】
2013178680.tif 000005
【図４】
2013178680.tif 000006
【図５】
2013178680.tif 000007
【図６】
2013178680.tif 000008
【図７】
2013178680.tif 000009
【図８】
2013178680.tif 000010
【図９】
2013178680.tif 000011
【図１０】
2013178680.tif 000012
【図１１】
2013178680.tif 000013
【図１２】
2013178680.tif 000014
【図１３】
2013178680.tif 000015
【図１４】
2013178680.tif 000016
【図１５】
2013178680.tif 000017
【図１６】
2013178680.tif 000018
【図１７】
2013178680.tif 000019
【図１８】
2013178680.tif 000020
【図１９】
2013178680.tif 000021
【図２０】
2013178680.tif 000022
【図２１】
2013178680.tif 000023
【図２２】
2013178680.tif 000024
【図２３】
2013178680.tif 000025
【図２４】
2013178680.tif 000026
【図２５】
2013178680.tif 000027
【図２６】
2013178680.tif 000028
【図２７】
2013178680.tif 000029
【図２８】
2013178680.tif 000030
【図２９】
2013178680.tif 000031
【図３０】
2013178680.tif 000032
【図３１】
2013178680.tif 000033
【図３２】
2013178680.tif 000034